(57)【要約】  中継ノードに関する動作を可能にする方法は、第１のネットワークノードで、第１の指示および第２の指示を含むシステム情報ブロックを受信することを含み、第１の指示は、第１のセルが非スタンドアロンセルであるとともにスタンドアロンユーザ機器（ＵＥ）に関して制限されることを示し、第２の指示は、第１のネットワークノードが第１のセルにアクセスすることができることを示す。方法は、第１のネットワークノードで、システム情報ブロックの第２の指示に基づいて、第１のネットワークノードが第１のセルにアクセスすることができるか否かを識別することを更に含む。方法は、Ｅ−ＵＴＲＡＮ新無線デュアルコネクティビティ（ＥＮ−ＤＣ）におけるアクセスおよびバックホール両方に対応するように、中継ノードが非スタンドアロンセルで動作できるようにすることによって、ネットワークでの性能を改善することができる。【選択図】図１４
2021514122.tif 000002
【特許請求の範囲】
【請求項１】
第１のネットワークノードで、第１のセルが非スタンドアロンセルであることを示すとともに、スタンドアロンユーザ機器（ＵＥ）が前記第１のセルにアクセスすることを制限されるか否かを示す、第１の指示と、前記第１のネットワークノードのタイプが前記第１のセルにアクセスすることができるか否かを示す、第２の指示とを含む、システム情報ブロックを受信すること（２６１０）と、
前記第１のネットワークノードで、前記システム情報ブロックの前記第２の指示に基づいて、前記第１のネットワークノードの前記タイプが前記第１のセルにアクセスすることができるか否かを識別すること（２６３０）と、を含む、中継ノードに関する動作を可能にする方法（２６００）。
【請求項２】
前記第２の指示が、前記第１のセルは確保されるが前記第１のネットワークノードの前記タイプに対しては確保されないことを示す場合、前記第１のネットワークノードが前記第１のセルにアクセスすることができる、請求項１に記載の方法（２６００）。
【請求項３】
前記第２の指示が、前記第１のセルは確保されるが前記第１のネットワークノードの前記タイプを許可するようにセットされることを示す場合、前記第１のネットワークノードが前記第１のセルにアクセスすることができる、請求項１に記載の方法（２６００）。
【請求項４】
前記第１の指示が、設定されるかまたは存在するｒｅｓｅｒｖｅｄＮＲ−Ｃｅｌｌであり、前記第２の指示がＲｅｓｅｒｖｅｄＮＲ−ＣｅｌｌＥｘｅｐｔｉｏｎｓである、請求項２または３に記載の方法（２６００）。
【請求項５】
前記第２の指示が、前記第１のネットワークノードの前記タイプが前記第１のセルにアクセスすることができることを示すセルアクセスリストを含む場合、前記第１のネットワークノードが前記第１のセルにアクセスすることができる、請求項１に記載の方法（２６００）。
【請求項６】
前記第１の指示が、設定されるかまたは存在するｒｅｓｅｒｖｅｄＮＲ−Ｃｅｌｌであり、前記セルアクセスリストがｃｅｌｌＡｃｃｅｓｓＲｅｌａｔｅｄＩｎｆｏＬｉｓｔに含まれる、請求項５に記載の方法（２６００）。
【請求項７】
前記第２の指示が、前記第１のネットワークノードの前記タイプに関する制限値を含まない場合、前記第１のネットワークノードが前記第１のセルにアクセスすることができる、請求項１に記載の方法（２６００）。
【請求項８】
前記システム情報ブロックが、前記スタンドアロンＵＥのユーザ機器が前記第１のセルにアクセスすることができることを示す第３の指示を更に含む、請求項１から７のいずれか一項に記載の方法（２６００）。
【請求項９】
前記第１のネットワークノードで、第２のシステム情報ブロックを受信することを更に含み、前記第２のシステム情報ブロックが、スタンドアロン動作に使用され、前記第１のセルに前記第１のネットワークノードの前記タイプがアクセスすることが許可された場合、前記第１のネットワークノードの前記タイプによってのみ読み取られる、請求項１から８のいずれか一項に記載の方法（２６００）。
【請求項１０】
前記第１のネットワークノードで、前記システム情報ブロックの前記第２の指示に基づいて、前記第１のネットワークノードの前記タイプが前記第１のセルにアクセスできることの識別に応答して、スタンドアロン動作を介して前記第１のセルにアクセスするランダムアクセス手順を実施することを更に含む、請求項１から９のいずれか一項に記載の方法（２６００）。
【請求項１１】
少なくとも１つの処理回路構成（１６７０）と、
プロセッサ実行可能命令を格納する少なくとも１つの記憶装置とを含み、前記命令が、前記処理回路構成によって実行されると、ネットワークノード（１６６０）に、
第１のセルが非スタンドアロンセルであることを示すとともに、スタンドアロンユーザ機器（ＵＥ）が前記第１のセルにアクセスすることを制限されるか否かを示す、第１の指示と、前記ネットワークノードのタイプが前記第１のセルにアクセスすることができるか否かを示す、第２の指示とを含む、システム情報ブロックを受信させ（２６１０）、
前記システム情報ブロックの前記第２の指示に基づいて、前記ネットワークノードの前記タイプが前記第１のセルにアクセスすることができるか否かを識別させる（２６３０）、中継ノードに関する動作を可能にするネットワークノード（１６６０）。
【請求項１２】
前記第２の指示が、前記第１のセルは確保されるが前記ネットワークノードの前記タイプに対しては確保されないことを示す場合、前記ネットワークノードが前記第１のセルにアクセスすることができる、請求項１１に記載のネットワークノード（１６６０）。
【請求項１３】
前記第２の指示が、前記第１のセルは確保されるが前記ネットワークノードの前記タイプを許可するようにセットされることを示す場合、前記ネットワークノードが前記第１のセルにアクセスすることができる、請求項１１に記載のネットワークノード（１６６０）。
【請求項１４】
前記第１の指示が、設定されるかまたは存在するｒｅｓｅｒｖｅｄＮＲ−Ｃｅｌｌであり、前記第２の指示がＲｅｓｅｒｖｅｄＮＲ−ＣｅｌｌＥｘｅｐｔｉｏｎｓである、請求項１２または１３に記載のネットワークノード（１６６０）。
【請求項１５】
前記第２の指示が、前記ネットワークノードの前記タイプが前記第１のセルにアクセスすることができることを示すセルアクセスリストを含む場合、前記ネットワークノードが前記第１のセルにアクセスすることができる、請求項１１に記載のネットワークノード（１６６０）。
【請求項１６】
前記第１の指示が、設定されるかまたは存在するｒｅｓｅｒｖｅｄＮＲ−Ｃｅｌｌであり、前記セルアクセスリストがｃｅｌｌＡｃｃｅｓｓＲｅｌａｔｅｄＩｎｆｏＬｉｓｔに含まれる、請求項１５に記載のネットワークノード（１６６０）。
【請求項１７】
前記第２の指示が、前記ネットワークノードの前記タイプに関する制限値を含まない場合、前記ネットワークノードが前記第１のセルにアクセスすることができる、請求項１１に記載のネットワークノード（１６６０）。
【請求項１８】
前記システム情報ブロックが、前記スタンドアロンＵＥのユーザ機器が前記第１のセルにアクセスすることができることを示す第３の指示を更に含む、請求項１１から１７のいずれか一項に記載のネットワークノード（１６６０）。
【請求項１９】
前記命令が更に、前記ネットワークノード（１６６０）に第２のシステム情報ブロックを受信させ、前記第２のシステム情報ブロックが、スタンドアロン動作に使用されるとともに、前記第１のセルに前記ネットワークノードがアクセスすることが許可された場合、前記ネットワークノードによってのみ読み取られる、請求項１１から１８のいずれか一項に記載のネットワークノード（１６６０）。
【請求項２０】
前記命令が更に、前記ネットワークノードに、前記システム情報ブロックの前記第２の指示に基づいて、前記ネットワークノードの前記タイプが前記第１のセルにアクセスできることの識別に応答して、スタンドアロン動作を介して前記第１のセルにアクセスするランダムアクセス手順を実施させる、請求項１１から１９のいずれか一項に記載のネットワークノード（１６６０）。
【請求項２１】
少なくとも１つの処理回路構成（１６７０）と、
プロセッサ実行可能命令を格納する少なくとも１つの記憶装置とを備え、前記命令が、前記処理回路構成によって実行されると、ネットワークノード（１６６０）に、
第１のセルの中継ノードおよびユーザ機器（ＵＥ）に対して、前記第１のセルが非スタンドアロンセルであることを示すとともにスタンドアロンＵＥが前記第１のセルにアクセスすることを制限されるか否かを示す、第１の指示と、前記中継ノードが前記第１のセルにアクセスすることができるか否かを示す、第２の指示とを含む、システム情報ブロックをブロードキャストさせる（２６１０）、中継ノードに関する動作を可能にするネットワークノード（１６６０）。
【請求項２２】
第１のネットワークノード（１６６０）が少なくとも１つの処理回路構成（１６７０）を含み、前記少なくとも１つの処理回路構成が、
第１のセルの中継ノードおよびユーザ機器（ＵＥ）に対して、前記第１のセルが非スタンドアロンセルであることを示すとともにスタンドアロンＵＥが前記第１のセルにアクセスすることを制限されるか否かを示す、第１の指示と、前記中継ノードが前記第１のセルにアクセスすることができるか否かを示す、第２の指示とを含む、システム情報ブロックをブロードキャストさせる（２６１０）ように設定され、
前記中継ノードの第２のネットワークノード（１６６０）が、少なくとも１つの処理回路構成（１６７０）を含み、前記少なくとも１つの処理回路構成が、
前記第１のネットワークノードから、前記第１の指示および前記第２の指示を含む前記システム情報ブロックを受信し、
前記システム情報ブロックの前記第２の指示に基づいて、前記第１のセルに前記中継ノードがアクセスすることが許可されるか否かを識別するように設定された、少なくとも２つのネットワークノード（１６６０）を含む中継ノードに関する動作を可能にする通信システム。
【発明の詳細な説明】
【技術分野】
【０００１】
特定の実施形態は、中継ノードが非スタンドアロンセルで動作するのを可能にする分野に関し、より具体的には、中継ノードがスタンドアロン動作を介して非スタンドアロンセルで動作するのを可能にする、方法、装置、およびシステムに関する。
【背景技術】
【０００２】
３ＧＰＰエボルブドユニバーサル地上無線アクセスネットワーク（Ｅ−ＵＴＲＡＮ）、または４Ｇアーキテクチャおよびエボルブドパケットコア（ＥＰＣ）アーキテクチャに関連して、エボルブドパケットシステム（ＥＰＳ）は、エボルブド３ＧＰＰパケット交換ドメインであり、ＥＰＣおよびＥ−ＵＴＲＡＮから成る。
【０００３】
図１は、ＥＰＣアーキテクチャの概要を示している。このアーキテクチャは３ＧＰＰ  ＴＳ  ２３．４０１で規定されている。パケットデータネットワーク（ＰＤＮ）ゲートウェイ（ＰＧＷ）、サービングゲートウェイ（ＳＧＷ）、ポリシーおよび課金ルール機能（ＰＣＲＦ）、モビリティ管理エンティティ（ＭＭＥ）、およびユーザ機器（ＵＥ）などの移動デバイスの定義に関する規格を参照する。ＬＴＥ無線アクセス（Ｅ−ＵＴＲＡＮ）は１つまたは複数のｅＮＢから成る。
【０００４】
図２は、Ｅ−ＵＴＲＡＮアーキテクチャ全体を示しており、例えば、３ＧＰＰ  ＴＳ  ３６．３００で更に規定されている。Ｅ−ＵＴＲＡＮは、ｅＮＢから成り、Ｅ−ＵＴＲＡユーザプレーンおよび制御プレーンプロトコルをＵＥに向かって終端させる。Ｅ−ＵＴＲＡＮユーザプレーンは、パケットデータコンバージェンスプロトコル／無線リンク制御／媒体アクセス制御／物理レイヤ（ＰＤＣＰ／ＲＬＣ／ＭＡＣ／ＰＨＹ）であってもよく、制御プレーンは無線リソース制御（ＲＲＣ）であってもよい。ｅＮＢは、Ｘ２インターフェースを用いて互いに相互接続される。ｅＮＢはまた、Ｓ１インターフェースを用いてＥＰＣに接続され、より具体的には、Ｓ１−ＭＭＥインターフェースを用いてＭＭＥに、ならびにＳ１−Ｕインターフェースを用いてＳ−ＧＷに接続される。
【０００５】
図３および４は、ＥＰＣ制御プレーン（ＣＰ）およびユーザプレーン（ＵＰ）アーキテクチャの主要部分を示している。現在の３ＧＰＰ次世代または５Ｇ  ＲＡＮアーキテクチャに関しては、現在の５Ｇ  ＲＡＮアーキテクチャがＴＳ３８．４０１ｖ０．４．１で説明されている。
【０００６】
図５は、現在の５Ｇ  ＲＡＮアーキテクチャ全体を示している。ＮＧアーキテクチャは以下のように更に説明することができる。（１）ＮＧ−ＲＡＮは、ＮＧを通して５Ｇコアネットワーク（５ＧＣ）に接続された一連のｇＮＢから成り、（２）ｇＮＢは、周波数分割複信（ＦＤＤ）モード、時分割複信（ＴＤＤ）モード、またはデュアルモード動作に対応することができ、（３）ｇＮＢは、Ｘｎを通して相互接続することができ、（４）ｇＮＢは、ｇＮＢ集約部（ＣＵ）およびｇＮＢ分散部（ＤＵ）から成ることができ、ならびにｇＮＢ−ＣＵおよびｇＮＢ−ＤＵはＦ１論理インターフェースを介して接続され、（５）１つのｇＮＢ−ＤＵは１つのｇＮＢ−ＣＵのみに接続される。回復力に関して、ｇＮＢ−ＤＵは、適切な実現例によって複数のｇＮＢ−ＣＵに接続されてもよいことに留意されたい。
【０００７】
ＮＧ、Ｘｎ、およびＦ１は論理インターフェースである。ＮＧ−ＲＡＮは、無線ネットワークレイヤ（ＲＮＬ）およびトランスポートネットワークレイヤ（ＴＮＬ）に階層化される。ＮＧ−ＲＡＮアーキテクチャ、即ちＮＧ−ＲＡＮ論理ノード、およびそれらの間のインターフェースは、ＲＮＬの一部として定義される。各ＮＧ−ＲＡＮインターフェース、例えばＮＧ、Ｘｎ、Ｆ１に対して、関連するＴＮＬプロトコルおよび機能性が指定される。ＴＮＬは、ユーザプレーントランスポートおよびシグナリングトランスポートのサービスを提供する。ＮＧ−Ｆｌｅｘ設定では、各ｇＮＢがプールエリア内の全ての５ＧＣノードに接続される。プールエリアは３ＧＰＰ  ＴＳ  ２３．５０１で規定されている。ＮＧ−ＲＡＮインターフェースのＴＮＬにおける制御プレーンおよびユーザプレーンデータのセキュリティ保護に対応していなければならない場合、３ＧＰＰ  ＴＳ  ３３．４０１で規定されているネットワークドメインセキュリティ（ＮＤＳ）／ＩＰが適用されるものとする。
【０００８】
デュアルコネクティビティ（ＤＣ）への対応については、ＲＡＮ  ５Gアーキテクチャに関連して、３ＧＰＰはデュアルコネクティビティに対応することに合意している。かかるメカニズムは、マスタおよびセカンダリノードを確立することから成り、可能な限り最良のトラフィックおよび無線リソース管理にしたがって、マスタノード（ＭＮ）およびセカンダリノード（ＳＮ）に対してユーザプレーン（ＵＰ）トラフィックを分配することから成る。ＣＰトラフィックは、１つのノードのみで、即ちＭＮで終端すると仮定される。図６および７は、ＴＳ  ３８．３００ｖ０．６．０で指定されている、デュアルコネクティビティに関与するプロトコルおよびインターフェースを示している。
【０００９】
図６は、マスタｇＮＢ（ＭｇＮＢ）がＰＤＣＰベアラトラフィックをセカンダリｇＮＢ（ＳｇＮＢ）に転送できることを示しており、図７は、ＳｇＮＢがＰＤＣＰベアラトラフィックをＭｇＮＢに転送する場合を示している。ＭｇＮＢおよびＳｇＮＢは、上記に概説した、ＣＵおよびＤＵで作られるＲＡＮスプリットアーキテクチャの対象であってもよいことを考慮する必要がある。
【００１０】
更に、５Ｇ標準化に関連して、マルチＲＡＴデュアルコネクティビティ（ＭＲ−ＤＣ）が指定されている。図８は、ＴＳ  ３７．３４０で指定されている５ＧにおけるＭＲ−ＤＣの原理を示している。ＭＲ−ＤＣが適用されると、ＭＮであるＲＡＮノードが制御プレーンをコアネットワーク（ＣＮ）に対して固定し、ＳＮである別のＲＡＮノードが、ＭＮとの協調によって制御およびユーザプレーンリソースをＵＥに提供する。
【００１１】
図９は、ＴＳ  ３７．３４０で指定されている５ＧＣを用いたＭＲ−ＤＣにおける、マスタセルグループ（ＭＣＧ）、ＭＣＧスプリット、セカンダリセルグループ（ＳＣＧ）、およびＳＣＧスプリットベアラに関する無線プロトコルアーキテクチャを示している。ＭＲ−ＤＣの範囲内で、様々なユーザプレーン／ベアラタイプの解決策が可能である。
【００１２】
ＴＳ  ３８．４０１では、ｇＮＢ−ＣＵ／ｇＮＢ−ＤＵアーキテクチャにおけるシグナリングフロー、例えば、ＵＥからの最初のアクセス、ＤＵ間モビリティなどを含む、手順全体が示される。ＭＲ−ＤＣの１つの特定のフレーバーはＥＮ−ＤＣと呼ばれる。この場合、ＬＴＥ  ｅＮＢはＭＮであり、ＮＲ  ｇＮＢはＳＮである。
【００１３】
非スタンドアロン（ＮＳＡ）ＮＲ配備への対応に関して、３ＧＰＰ  Ｒｅｌ−１５では、ＮＳＡ  ＮＲ配備に対応することが合意されている。この場合、ＮＲ  ＲＡＴはスタンドアロン動作に対応しておらず、即ち、ＮＲ  ＲＡＴ自体によってＵＥにサーブすることはできない。その代わりに、デュアルコネクティビティ、例えばＥＮ−ＤＣが、エンドユーザにサーブするのに使用される。これは、ＵＥは最初にＬＴＥ  ＭｅＮＢに接続され、ＬＴＥ  ＭｅＮＢが後にＳｇＮＢにＮＲレッグをセットアップすることを意味する。図１０は、この手順を示すシグナリングフローの一例を示している。
【００１４】
上述の手順では、ＵＥは最初に、ステップ１〜ステップ１１で、ＬＴＥにおける接続を実施する。この時点で、ネットワークはＵＥに、ＮＲ  ＲＡＴで測定を行うように命令しており、測定設定はメッセージ１１の後またはそれと同時の任意の時点で行われてもよい。次に、ＵＥは、ＮＲ  ＲＡＴに関する測定報告を伝送する。次に、ネットワークは、ステップ１６〜ステップ２６で、ＮＲレッグのセットアップを開始してもよい。ＥＮ−ＤＣの場合、ＥＰＣコアネットワークが使用される。
【００１５】
非スタンドアロン動作に加えて、ＮＲはＳＡ動作にも対応する。この場合、ＳＡ  ＮＲに対応するＵＥは、ＮＲセル上にキャンプし、ＮＲシステムへの直接アクセスを実施し、即ち、ＮＲにアクセスするのにＬＴＥに最初に接続する必要はない。ＳＡ可能なＮＲ  ｇＮＢは、ＬＴＥ動作と同様の手法で、ＮＲセルにアクセスするのに使用されるセル内のシステム情報（ＳＩ）をブロードキャストするが、ＳＩの内容およびそれをブロードキャストする方式、例えば周期性は、ＬＴＥとは異なってもよい。
【００１６】
統合アクセス・バックホール（ＩＡＢ）に関して、マクロまたはマイクロ基地局など、より多くの基地局を配備することによる高密度化は、主に映像ストリーミングサービスが多く採用されることによって推進される、移動ネットワークにおけるより一層の帯域幅および／または容量に対して増加し続ける要求を満たすために用いられてもよい、メカニズムの１つである。ミリメートル波（ｍｍｗ）帯においてより広いスペクトルが利用可能であるため、この帯で動作する小さいセルを配備することは、これらの目的にとって魅力的な配備の選択肢である。しかしながら、ファイバーを小さいセルに配備することは、小さいセルを配備する通常の手法であるが、非常に高価で非実用的になることがある。したがって、小さいセルをオペレータのネットワークに接続する無線リンクを用いることが、より安価で実用的な代替方法である。１つのかかる解決策は、オペレータが無線リソースの一部をバックホールリンクに利用してもよい、ＩＡＢネットワークである。
【００１７】
統合アクセス・バックホールは、ＬＴＥ  Ｒｅｌ−１０の範囲で３ＧＰＰにおいて以前に研究されてきた。その研究では、中継ノード（ＲＮ）がＬＴＥ  ｅＮＢおよびＵＥモデムの機能性を有するアーキテクチャが採用された。ＲＮは、ＲＮをネットワークの残りから隠すＳ１／Ｘ２プロキシの機能性を有する、ドナーｅＮＢに接続される。そのアーキテクチャにより、ドナーｅＮＢがＲＮの背後にあるＵＥに気づき、ドナーｅＮＢと同じドナーｅＮＢ上の中継ノードとの間におけるＵＥモビリティをＣＮから隠すこともできるようになった。
【００１８】
Ｒｅｌ−１０の間、例えば、ＲＮがドナーｅＮＢに対してより透明であり、別個のスタンドアロンＰ／Ｓ−ＧＷノードが割り振られる、他のアーキテクチャも考慮された。
【００１９】
ＮＲに関して、類似のアーキテクチャの選択肢も考慮されてもよい。下位レイヤの違い以外でＬＴＥと比較した場合の１つの潜在的な違いは、ｇＮＢ−ＣＵ／ＤＵスプリットがＮＲに関して規定され、それによって時間制約型ＲＬＣ／ＭＡＣ／ＰＨＹプロトコルを時間制約が少ないＲＲＣ／ＰＤＣＰプロトコルと分離することが可能になることになる。かかるスプリットは、統合アクセス・バックホールの場合にも適用されてもよい。ＩＡＢに関してＬＴＥと比較してＮＲで予測される他の違いは、複数のホップの対応および冗長経路の対応である。
【００２０】
ＮＲおよびＮＧ−ＲＡＮで、ＮＲで、ならびに次世代ＲＡＮに対してｇＮＢ−ＣＵ／ＤＵスプリットに関して、ｇＮＢをＣＵおよびＤＵに分離するのに対応することが同意されている。ＤＵは、ＲＬＣ、ＭＡＣ、および物理レイヤプロトコルを含むＵＥに向けた無線インターフェースで終端し、ＣＵは、ＵＥに向けたＰＤＣＰおよびＲＲＣプロトコル、ならびに５ＧＣに向けたＮＧ−Ｃ／Ｕインターフェース、および他のＮＲ  ｇＮＢおよびＬＴＥ  ｅＮＢに向けたＸｎ／Ｘ２インターフェースで終端する。ＣＵ／ＤＵの分離は、３ＧＰＰ  ＴＳ  ３８．４０１および図１１で更に説明されている。ＣＵとＤＵとの間には、Ｆ１インターフェースが規定されている。Ｆ１アプリケーション部分プロトコル（Ｆ１−ＡＰ）は、３ＧＰＰ  ３８．４７３で規定されている。
【００２１】
それに加えて、３ＧＰＰ  ＲＡＮ３  ＷＧでは、ｇＮＢ−ＣＵを、無線ベアラをシグナリングするＲＲＣおよびＰＤＣＰを含むＣＵ−ＣＰ機能と、ユーザプレーンのためのＰＤＣＰを含むＣＵ−ＵＰ機能とに分離することに対応することが合意されている。ＣＵ−ＣＰおよびＣＵ−ＵＰ部分は、Ｅ１インターフェースおよびＥ１−ＡＰプロトコルを使用して互いと通信する。ＣＵ−ＣＰ／ＵＰ分離は図１２に示されている。
【００２２】
ＩＡＢノードにＥＮ−ＤＣを使用することに関して、３ＧＰＰ  ＲＡＮ２合意によると、ＵＥとＩＡＢノードとの間のアクセスリンクにおけるＥＮ−ＤＣのＳＡおよびＮＳＡの両方に対応するものとされている。ＥＮ−ＤＣを使用したＩＡＢの配備の一例は、ＩＡＢを使用して一部がバックホールされている新しいマイクロノードを追加することによって高密度化される、マクログリッドＬＴＥネットワークであってもよい。この例のシナリオでは、マクロサイトは、ＬＴＥに加えてＮＲにも対応するようにアップグレードされ、マイクロサイトは、図１３に示されるように、ＮＲのみに対応する。
【００２３】
この場合、ＬＴＥ広域カバレッジおよびＮＲをデータブーストとして利用して、ＥＮ−ＤＣで動作することが可能であってもよい。ＥＮ−ＤＣの解決策によって、理想的ではない搬送を使用して、ＬＴＥおよびＮＲを分離することが可能になり、つまり、ＥＮ−ＤＣの解決策が、ＵＥにサーブするＮＲノードが別のＮＲノードを使用して無線でバックホールされる、ＩＡＢのシナリオに対応することが実現可能であってもよい。図１４は、ＮＲでラベリングされたＩＡＢノードを通じて無線でバックホールされているＮＲノードが、ＮＲ  ＳＣＧリンクにサーブするｅｎ−ｇＮＢ−ＤＵの機能を実施する、このシナリオに関する論理アーキテクチャの一例を示している。
【００２４】
Ｘ２インターフェース機能を含む既存のＥＮ−ＤＣの解決策は、ＥＮ−ＤＣ  ＵＥに対応したＩＡＢノードに適用可能であってもよい。アクセスリンク上でＥＮ−ＤＣに対応するＬＴＥ  ｅＮＢに対して、ＩＡＢ特異的な影響は予見されない。
【００２５】
統合アクセス・バックホールは、スタンドアロンＮＲ配備でも対応していてもよいことが仮定され、この理由から、規格は、スタンドアロンＮＲをアクセスおよびバックホールリンク両方に対して使用して、図１５に示されるようにＮＲのみの完全な配備を可能にしているときも、ＩＡＢに対応してもよいものと仮定される。
【００２６】
規格は、スタンドアロンＮＲをアクセスおよびバックホールリンク両方に対して使用するとき、ＩＡＢに対応してもよい。現在、特定の課題が存在している。例えば、統合アクセス・バックホールに対応するために、ＩＡＢノード、例えばＵＥのアクセスを提供し、ＮＲを介して無線でバックホールする中継ノードが、スタンドアロンＮＲで動作するのを可能にすることが望ましい。この理由として、後述するように、バックホールリンク上のＥＮ−ＤＣに対応することは非常に複雑である。
【００２７】
ＩＡＢバックホールリンクがネットワーク内部リンクであることを所与として、レガシーデバイスを含む数百万個のデバイスおよび／またはＵＥと相互作用する必要があるアクセスリンクと比較して、このリンクをいかに実現する必要があるかという点でより柔軟性が高い。この理由により、バックホールリンク上でＥＮ−ＤＣを回避することができ、代わりにＳＡ  ＮＲのみを使用できることが考慮されてもよい。
【００２８】
バックホールリンクシナリオおよびその高次論理アーキテクチャにおけるＥＮ−ＤＣが、図１３および１４に例示されている。
【００２９】
ＥＮ−ＤＣの対応に関する１つの議論は、パケットコアを含むネットワークの残りの部分がスタンドアロンＮＲに対応していない場合、スタンドアロンＮＲを使用してＩＡＢノードを接続することが実現不可能であろうという点であり得る。他方で、上記に示したように、ＥＮ−ＤＣはＬＴＥ  ｅＮＢおよびＥＰＣに対して何らかの影響を有するので、これらのネットワークでもＥＮ−ＤＣを回避することが可能な場合、それが有益であろう。
【００３０】
バックホールリンクでは、両方のノードがネットワークノードなので、スタンドアロンＮＲに対応するようにノードをアップグレードすることは、少なくともより簡単である。スタンドアロンＮＲがバックホールリンクに関して十分であるかも知れない理由についての他の議論は、ＩＡＢノードが良好なＮＲカバレッジを有するサイトで配備されてもよく、無線カバレッジの観点からＬＴＥを要しないであろうことが予期される点である。
【００３１】
バックホールリンク上のＥＮ−ＤＣおよびＳＡ両方に対応することに関する別の潜在的な課題は、これには、標準化の観点から、ＩＡＢノードにコネクティビティの機能性を提供する、２つの異なるＣＮの解決策ならびに２つの異なるＮＡＳプロトコルを要することである。また、異なる機能上の分割およびＣＰ／ＵＰの分離がＥＰＣおよび５ＧＣで適用されるので、２つのＣＮの間で解決策が異なって見えることがある。
【００３２】
バックホールリンクにＥＮ−ＤＣを使用することに関する更なる課題は、ＩＡＢノードにサーブするためにＬＴＥ  ＭＮで必要な機能性が、ＵＥにサーブするために必要な機能性とは大きく異なることがあるため、ＩＡＢノードにサーブするＬＴＥ  ｅＮＢで、ＩＡＢに特異的な機能性も必要なことがあることを意味する可能性が高い点である。正確にどの機能性が必要であるかはまだ今後の課題であるが、少なくとも、ＵＥに適用不能なＣＮ選択、スライシングなどに関連する、何らかの基本的な機能性があり得る。
【発明の概要】
【００３３】
既存の解決策による上述の問題に対処するため、スタンドアロンＵＥが非スタンドアロンセルにアクセスするのは制限するが、中継ノードが非スタンドアロンセルにアクセスするのは許可することによって、中継ノードが非スタンドアロンセルで動作できるようにする、方法、ネットワークノード、および通信システムが開示される。本開示は、中継ノードが非スタンドアロンセルでスタンドアロン動作を実施することによって、オペレータが非スタンドアロンＵＥのためにスタンドアロンセルに対応する必要なく、ＥＮ−ＤＣにおけるアクセスおよびバックホールリンク両方に中継ノードが対応できる、解決策を実現する。したがって、中継ノードの配備は、ＬＴＥ基地局およびＥＰＣネットワークに対する影響を回避してもよい。
【００３４】
いくつかの実施形態について本開示で詳述する。一実施形態によれば、中継ノードに関する動作を可能にする方法は、第１のネットワークノードで、第１の指示および第２の指示を含むシステム情報ブロックを受信することを含み、第１の指示は、第１のセルが非スタンドアロンセルであることを示すとともに、スタンドアロンＵＥが第１のセルにアクセスすることを制限されるか否かを示し、第２の指示は、第１のネットワークノードのタイプが第１のセルにアクセスすることができるか否かを示す。方法は、第１のネットワークノードで、システム情報ブロックの第２の指示に基づいて、第１のネットワークノードのタイプが第１のセルにアクセスすることができるか否かを識別することを更に含む。
【００３５】
一実施形態では、第１のネットワークノードは、第２の指示が、第１のセルは確保されるが第１のネットワークノードのタイプに対しては確保されないことを示す場合、第１のセルにアクセスすることができる。別の実施形態では、第１のネットワークノードは、第２の指示が、第１のセルは確保されるが第１のネットワークノードのタイプを許可するようにセットされることを示す場合、第１のセルにアクセスすることができる。一実施形態では、第１の指示は、設定されるかまたは存在するｒｅｓｅｒｖｅｄＮＲ−Ｃｅｌｌであり、第２の指示は、ＲｅｓｅｒｖｅｄＮＲ−ＣｅｌｌＥｘｅｐｔｉｏｎｓである。
【００３６】
一実施形態では、第１のネットワークノードは、第２の指示が、第１のネットワークノードのタイプが第１のセルにアクセスすることができることを示すセルアクセスリストを含む場合、第１のセルにアクセスすることができる。一実施形態では、第１の指示は、設定されるかまたは存在するｒｅｓｅｒｖｅｄＮＲ−Ｃｅｌｌであり、セルアクセスリストは、ｃｅｌｌＡｃｃｅｓｓＲｅｌａｔｅｄＩｎｆｏＬｉｓｔに含まれる。
【００３７】
一実施形態では、第１のネットワークノードは、第２の指示が、第１のネットワークノードのタイプに関する制限値を含まない場合、第１のセルにアクセスすることができる。
【００３８】
一実施形態では、システム情報ブロックは、スタンドアロンＵＥのユーザ機器が第１のセルにアクセスすることができることを示す、第３の指示を更に含む。
【００３９】
一実施形態では、方法は、第１のネットワークノードで、第２のシステム情報ブロックを受信することを更に含み、第２のシステム情報ブロックは、スタンドアロン動作に使用され、第１のセルに第１のネットワークノードのタイプがアクセスすることが許可された場合、第１のネットワークノードのタイプによってのみ読み取られる。
【００４０】
一実施形態では、第１のネットワークノードは、システム情報ブロックの第２の指示に基づいて、第１のネットワークノードのタイプが第１のセルにアクセスできることの識別に応答して、スタンドアロン動作を介して第１のセルにアクセスするランダムアクセス手順を実施する。
【００４１】
別の実施形態によれば、中継ノードに関する動作を可能にするネットワークノードは、少なくとも１つの処理回路構成と、プロセッサ実行可能命令を格納する少なくとも１つの記憶装置とを含み、命令は、処理回路構成によって実行されると、ネットワークノードに、第１のセルが非スタンドアロンセルであることを示すとともにスタンドアロンＵＥが第１のセルにアクセスすることを制限されるか否かを示す第１の指示と、第１のネットワークノードのタイプが第１のセルにアクセスすることができるか否かを示す第２の指示とを含む、システム情報ブロックを受信させ、システム情報ブロックの第２の指示に基づいて、第１のネットワークノードのタイプが第１のセルにアクセスすることができるか否かを識別させる。
【００４２】
更に別の実施形態によれば、中継ノードに関する動作を可能にするネットワークノードは、少なくとも１つの処理回路構成と、プロセッサ実行可能命令を格納する少なくとも１つの記憶装置とを含み、命令は、処理回路構成によって実行されると、ネットワークノードに、第１のセルの中継ノードおよびＵＥに対して、第１のセルが非スタンドアロンセルであることを示すとともにスタンドアロンＵＥが第１のセルにアクセスすることを制限されるか否かを示す、第１の指示と、中継ノードが第１のセルにアクセスすることができるか否かを示す、第２の指示とを含む、システム情報ブロックをブロードキャストさせる。
【００４３】
更に別の実施形態によれば、中継ノードに関する動作を可能にする通信システムは、少なくとも２つのネットワークノードを含む。第１のネットワークノードは、第１のセルの中継ノードおよびＵＥに対して、第１のセルが非スタンドアロンセルであることを示すとともにスタンドアロンＵＥが第１のセルにアクセスすることを制限されるか否かを示す、第１の指示と、中継ノードが第１のセルにアクセスすることができるか否かを示す、第２の指示とを含む、システム情報ブロックをブロードキャストするように設定された、少なくとも１つの処理回路構成を含む。中継ノードの第２のネットワークノードは、第１のネットワークノードから、第１の指示および第２の指示を含むシステム情報ブロックを受信し、システム情報ブロックの第２の指示に基づいて、第１のセルに中継ノードがアクセスすることが許可されるか否かを識別するように設定された、少なくとも１つの処理回路構成を含む。
【００４４】
本開示の特定の態様およびそれらの実施形態は、これらまたは他の課題に対する解決策を提供することができる。本明細書で開示される課題の１つまたは複数に対処する、様々な実施形態が本明細書で提案される。
【００４５】
特定の実施形態は、以下の技術的利点の１つまたは複数を提供してもよい。本開示で開示する方法は、中継ノード、例えばＩＡＢノードが、非スタンドアロンＮＲセルにキャンプまたはアクセスし、それらの非スタンドアロンＮＲセルがスタンドアロンセルであるかのように動作することができるようにしてもよい。特定の実施形態は、特定のセルが、中継ノードに対してはスタンドアロンＲＡＴを使用して動作するが、スタンドアロンＵＥがこれらの特定のセルにアクセスすることは依然として防ぐことを可能にする。
【００４６】
特定の実施形態は、スタンドアロンＮＲを使用して中継ノードに対応する、ＥＮ−ＤＣおよびＥＰＣネットワークのみに対応するオペレータを更に提供する。したがって、特定の実施形態は、ＬＴＥ基地局およびＥＰＣネットワークに対する影響を軽減し、ネットワークをアップグレードするコスト効率が良い手法を提供してもよい。
【００４７】
以下の詳細な説明および図面に照らして、他の様々な特徴および利点が当業者には明白となるであろう。特定の実施形態は、上記に列挙した利点を１つも有さないか、そのいくつか、または全てを有してもよい。
【００４８】
本明細書に組み込まれその一部を形成する添付図面は、本開示の複数の態様を例示し、明細書と合わせて本開示の原理を説明する役割を果たす。
【図面の簡単な説明】
【００４９】
【図１】３ＧＰＰアクセスのための非ローミングＥＰＣアーキテクチャの一例を示す図である。
【図２】Ｅ−ＵＴＲＡＮアーキテクチャ全体の一例を示す図である。
【図３】ＥＰＣ制御プレーンプロトコルアーキテクチャの一例を示す図である。
【図４】ＥＰＣユーザプレーンプロトコルアーキテクチャの一例を示す図である。
【図５】現在の５Ｇ  ＲＡＮアーキテクチャ全体の一例を示す図である。
【図６】デュアルコネクティビティのためのＭｇＮＢベアラの一例を示す図である。
【図７】デュアルコネクティビティのためのＳｇＮＢベアラの一例を示す図である。
【図８】５ＧにおけるＭＲ−ＤＣの原理の一例を示す図である。
【図９】５ＧＣを用いたＭＲ−ＤＣにおけるＭＧＣ、ＭＣＧスプリット、ＳＣＧ、およびＳＣＧスプリットベアラに関する無線プロトコルアーキテクチャの一例を示す図である。
【図１０】非スタンドアロンＮＲ配備のシグナリングの一例を示す図である。
【図１１】ｇＮＢにおけるＣＵ−ＤＵ分離の一例を示す概略ブロック図である。
【図１２】Ｅ１インターフェースおよびＥ１−ＡＰプロトコルを使用したＣＵ−ＣＰ／ＣＵ−ＵＰ分離の一例を示す図である。
【図１３】ＩＡＢノードに対してＥＮ−ＤＣを使用するシナリオの一例を示す図である。
【図１４】ＬＴＥ広域カバレッジおよびＮＲをデータブーストとして利用して、ＥＮ−ＤＣで動作する論理アーキテクチャの一例を示す図である。
【図１５】アクセスおよびバックホールリンク両方でスタンドアロンＮＲを使用するシナリオの一例を示す図である。
【図１６】特定の実施形態による、無線ネットワークの一例を示す図である。
【図１７】特定の実施形態による、ランダムアクセス手順を実施するＩＡＢノードのシグナリングの一例を示す図である。
【図１８】特定の実施形態による、ユーザ機器の一例を示す図である。
【図１９】特定の実施形態による、仮想化環境の一例を示す図である。
【図２０】特定の実施形態による、中間ネットワークを介してホストコンピュータに接続される電気通信ネットワークの一例を示す図である。
【図２１】特定の実施形態による、部分無線接続を通じて基地局を介してユーザ機器と通信しているホストコンピュータの一例を示す図である。
【図２２】特定の実施形態による、ホストコンピュータ、基地局、およびユーザ機器を含む通信システムにおいて実現される方法の一例を示す図である。
【図２３】特定の実施形態による、ホストコンピュータ、基地局、およびユーザ機器を含む通信システムにおいて実現される方法の別の例を示す図である。
【図２４】特定の実施形態による、ホストコンピュータ、基地局、およびユーザ機器を含む通信システムにおいて実現される、別の更なる例示の方法を示す図である。
【図２５】特定の実施形態による、ホストコンピュータ、基地局、およびユーザ機器を含む通信システムにおいて実現される、更に別の例示の方法を示す図である。
【図２６】特定の実施形態による、ネットワークノードにおける方法の一例を示すフロー図である。
【図２７】特定の実施形態による、ネットワークノードの一例を示す概略ブロック図である。
【発明を実施するための形態】
【００５０】
５Ｇ  ＮＲネットワークを展開する際に、レガシーＵＥがＮＲセルを介してコスト効率のよい形でＥＰＣネットワークにアクセスするのに対応することは重要なので、本出願の特定の実施形態は、非スタンドアロンＮＲセルがスタンドアロン型であるものとして、ＩＡＢノードが非スタンドアロンＮＲにキャンプしアクセスすることを可能にする方法を提供する。例えば、特定の実施形態は、非スタンドアロンセルがＩＡＢノードに関してスタンドアロンＮＲを使用して動作するが、ＳＡ可能なＵＥが非スタンドアロンセルにアクセスすることは依然として防ぐことを可能にする。特定の実施形態は、ＥＮ−ＤＣのみに対応するオペレータを提供し、ＥＰＣネットワークは、スタンドアロンＮＲを使用してＩＡＢノードに対応してもよい。
【００５１】
特定の実施形態は、オペレータが通常のＵＥに関してスタンドアロンＮＲに対応することを必要とせず、ＩＡＢノードに対してスタンドアロンＮＲを利用する解決策を提供してもよい。これにより、エンドユーザのＵＥに関してＥＮ−ＤＣのみに対応しているオペレータが、ＬＴＥ基地局およびＥＰＣネットワークに影響を与えるであろう、ＩＡＢバックホールリンクに関してＥＮ−ＤＣを使用する必要性が回避される。特定の実施形態は、ＩＡＢノードを配備する際、ＬＴＥ基地局およびＥＰＣネットワークに対するかかる影響を回避する。したがって、本開示の特定の実施形態は、ネットワークをアップグレードするコストを最小限に抑え、ＩＡＢノードの中からより高速のロールを引き出してもよい。
【００５２】
以下、本明細書において想到される実施形態のいくつかについて、添付図面を参照してさらに十分に記載する。しかしながら、他の実施形態が本明細書に開示する主題の範囲内に含まれ、開示する主題は、本明細書で説明する実施形態のみに限定されるものと解釈されるべきではなく、それよりもむしろ、これらの実施形態は、主題の範囲を当業者に伝えるために例として提供されるものである。
【００５３】
一般に、本明細書で使用する全ての用語は、異なる意味が明確に与えられない限り、ならびに／あるいは異なる意味がその用語を使用している文脈から示唆されない限り、関連技術分野におけるそれらの本来の意味にしたがって解釈されるべきものである。要素、装置、構成要素、手段、ステップなどに対する全ての参照は、別の形で明示的に定義されない限り、要素、装置、構成要素、手段、ステップなどの少なくとも一例を指すものと広く解釈されるべきである。本明細書に開示するいずれかの方法のステップは、あるステップが別のステップの後または前に行われると明示的に記載されない限り、ならびに／あるいはあるステップが別のステップの後または前に行われなければならないと示唆されない限り、開示する順序で正確に実施されなければならないものではない。本明細書に開示する実施形態のいずれかにおけるあらゆる特徴は、適切であれば、他のいずれかの実施形態に適用されてもよい。同様に、実施形態のいずれかにおけるあらゆる利点は、他のいずれかの実施形態に当てはまることがあり、その逆もまた真である。含まれる実施形態の他の目的、特徴、および利点は、以下の説明から明白になるであろう。
【００５４】
いくつかの実施形態では、非限定的用語「ＵＥ」が使用される。ＵＥは、本明細書では、無線信号を通じてネットワークノードまたは別のＵＥと通信することができる、任意のタイプの無線デバイスであることができる。ＵＥはまた、無線通信デバイス、標的デバイス、デバイスツーデバイス（Ｄ２Ｄ）ＵＥ、マシンタイプＵＥもしくはマシンツーマシン通信（Ｍ２Ｍ）が可能なＵＥ、ＵＥを装備したセンサ、ｉＰＡＤ、タブレット、移動端末、スマートフォン、ラップトップ組込機器（ＬＥＥ）、ラップトップ搭載機器（ＬＭＥ）、ＵＳＢドングル、加入者宅内機器（ＣＰＥ）などであってもよい。
【００５５】
また、いくつかの実施形態では、一般的用語「ネットワークノード」が使用される。基地局、無線基地局、ベーストランシーバ基地局、基地局コントローラ、ネットワークコントローラ、マルチスタンダード無線ＢＳ、ｇＮＢ、ＮＲ  ＢＳ，エボルブドノードＢ（ｅＮＢ）、ノードＢ、マルチセル／マルチキャスト協調エンティティ（ＭＣＥ）、中継ノード、アクセスポイント、無線アクセスポイント、リモート無線ユニット（ＲＲＵ）、リモート無線ヘッド（ＲＲＨ）、マルチスタンダードＢＳ（ＭＳＲ  ＢＳとして知られている）、コアネットワークノード（例えば、ＭＭＥ、ＳＯＮノード、協調ノード、測位ノード、ＭＤＴノードなど）、または更には外部ノード（例えば、第三者ノード、現在のネットワーク外のノード）などの無線ネットワークノードを含んでもよい、任意の種類のネットワークノードであることができる。ネットワークノードはまた、テスト機器を含んでもよい。
【００５６】
更に、いくつかの実施形態では、「基地局（ＢＳ）」という用語は、例えば、ｇＮＢ、ｅｎ−ｇＮＢ、もしくはｎｇ−ｅＮＢ、もしくは中継ノード、または実施形態に準拠した任意のＢＳを含んでもよい。本明細書で使用される「無線ノード」という用語は、ＵＥまたは無線ネットワークノードを示すのに使用されてもよい。本明細書で使用される「シグナリング」という用語は、上位レイヤシグナリング（例えば、ＲＲＣなどを介する）、下位レイヤシグナリング（例えば、物理制御チャネルもしくはブロードキャストチャネルを介する）、またはそれらの組み合わせのいずれかを含んでもよい。シグナリングは暗示的または明示的であってもよい。シグナリングは更に、ユニキャスト、マルチキャスト、またはブロードキャストであってもよい。シグナリングはまた、別のノードに直接、または第３のノードを介してもよい。
【００５７】
図１６は、特定の実施形態による、無線ネットワークの一例である。本明細書に記載する主題は、任意の適切な構成要素を使用する任意の適切なタイプのシステムで実現されてもよいが、本明細書に開示する実施形態は、図１６に示される例示の無線ネットワークなどの無線ネットワークに関連して記載する。単純にするため、図１６の無線ネットワークは、ネットワーク１６０６、ネットワークノード１６６０および１６６０ｂ、ならびに無線デバイス（ＷＤ）１６１０、１６１０ｂ、および１６１０ｃのみを示している。実際上、無線ネットワークは、無線デバイス間の通信、あるいは無線デバイスと地上電話、サービスプロバイダ、または他の任意のネットワークノードもしくはエンドデバイスなど、別の通信デバイスとの間の通信に対応するのに適した、任意の追加の要素を更に含んでもよい。図示される構成要素のうち、ネットワークノード１６６０および無線デバイス（ＷＤ）１６１０が更に詳細に図示されている。いくつかの実施形態では、ネットワークノード１６６０は、ｇＮＢなどの基地局である。特定の実施形態では、ネットワークノード１６６０は、図２７に更に示されるネットワークノードであってもよい。無線ネットワークは、通信および他のタイプのサービスを１つまたは複数の無線デバイスに提供して、無線ネットワークによってもしくは無線ネットワークを介して提供されるサービスに関する、無線デバイスのアクセスおよび／または使用を容易にしてもよい。
【００５８】
無線ネットワークは、任意のタイプの通信、電気通信、データ、移動体、および／または無線ネットワーク、あるいは他の同様のタイプのシステムを備えてもよく、ならびに／あるいはそれらとインターフェース接続してもよい。いくつかの実施形態では、無線ネットワークは、特定の規格、または他のタイプの規定の規則もしくは手順にしたがって動作するように構成されてもよい。したがって、無線ネットワークの特定の実施形態は、グローバル移動体通信システム（ＧＳＭ）、Ｕｎｉｖｅｒｓａｌ  Ｍｏｂｌｅ  Ｔｅｌｅｃｏｍｍｕｎｉｃａｔｉｏｎ  Ｓｙｓｔｅｍ（ＵＭＴＳ）、Ｌｏｎｇ−Ｔｅｒｍ  Ｅｖｏｌｕｔｉｏｎ（ＬＴＥ）、および／または他の適切な２Ｇ、３Ｇ、４Ｇ、もしくは５Ｇ規格、ＩＥＥＥ  ８０２．１１規格などの無線ローカルエリアネットワーク（ＷＬＡＮ）規格、ならびに／あるいは、ワールドワイド・インターオペラビリティ・フォー・マイクロウェーブ・アクセス（ＷｉＭａｘ）、ブルートゥース、Ｚ波、および／またはジグビー規格などの他の任意の適切な無線通信規格などの、通信規格を実現してもよい。
【００５９】
ネットワーク１６０６は、１つもしくは複数のバックホールネットワーク、コアネットワーク、ＩＰネットワーク、公衆交換電話網（ＰＳＴＮ）、パケットデータネットワーク、光ネットワーク、広域ネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間で通信できるようにする他のネットワークを含んでもよい。
【００６０】
ネットワークノード１６６０およびＷＤ  １６１０は、更に詳細に後述する様々な構成要素を備える。これらの構成要素は、無線ネットワークにおける無線接続を提供するなど、ネットワークノードおよび／または無線デバイスの機能性を提供するために共に働く。異なる実施形態では、無線ネットワークは、任意の数の有線もしくは無線ネットワーク、ネットワークノード、基地局、コントローラ、無線デバイス、中継局、ならびに／あるいは、有線または無線接続のどちらかを介するデータおよび／または信号の通信を容易にするかまたはそれに関与することができる、他の任意の構成要素またはシステムを含んでもよい。
【００６１】
本明細書で使用するとき、ネットワークノードは、無線デバイスへの無線アクセスを可能にする、および／または無線アクセスを提供する、ならびに／あるいは無線ネットワークにおける他の機能（例えば、管理）を実施するために、無線通信ネットワーク内のネットワークノードまたもしくは他の機器と、直接または間接的に通信することができる、通信するように構成された、通信するように配置された、ならびに／または通信するように動作可能である、機器を指す。ネットワークノードの例としては、アクセスポイント（ＡＰ）（例えば、無線アクセスポイント）、基地局（ＢＳ）（例えば、無線基地局、ノードＢ、進化型ノードＢ（ｅＮＢ）、およびＮＲノードＢ（ｇＮＢ））が挙げられるが、それらに限定されない。基地局は、それらが提供するカバレッジの量（または換言すれば、それらの送信電力レベル）に基づいて分類されてもよく、そのため、フェムト基地局、ピコ基地局、マイクロ基地局、またはマクロ基地局とも呼ばれることがある。基地局は、中継を制御する中継ノードまたは中継ドナーノードであってもよい。ネットワークノードはまた、中央デジタル部、および／またはリモート無線ヘッド（ＲＲＨ）と呼ばれることがあるリモート無線ユニット（ＲＲＵ）など、分散無線基地局の１つもしくは複数（または全て）の部分を含んでもよい。かかるリモート無線ユニットは、アンテナ統合無線として、アンテナと統合されてもされなくてもよい。分散無線基地局の部分はまた、分散アンテナシステム（ＤＡＳ）のノードと呼ばれることもある。ネットワークノードの更なる他の例としては、ＭＳＲ  ＢＳなどのマルチスタンダード無線（ＭＳＲ）機器、無線ネットワークコントローラ（ＲＮＣ）または基地局コントローラ（ＢＳＣ）などのネットワークコントローラ、ベーストランシーバ基地局（ＢＴＳ）、送信ポイント、送信ノード、マルチセル／マルチキャスト調整エンティティ（ＭＣＥ）、コアネットワークノード（例えば、ＭＳＣ、ＭＭＥ）、Ｏ＆Ｍノード、ＯＳＳノード、ＳＯＮノード、ポジショニングノード（例えば、Ｅ−ＳＭＬＣ）、ならびに／あるいはＭＤＴが挙げられる。別の例として、ネットワークノードは、更に詳細に後述するような仮想ネットワークノードであってもよい。しかしながら、より一般的には、ネットワークノードは、無線デバイスが無線ネットワークにアクセスできるようにすること、もしくは無線デバイスに無線ネットワークへのアクセスを提供すること、および／または無線ネットワークにアクセスしている無線デバイスに何らかのサービスを提供することが、可能である、そのように構成されている、そのように配置されている、ならびに／またはそれを可能にするように動作可能である、任意の適切なデバイス（またはデバイス群）を表してもよい。
【００６２】
図１６では、ネットワークノード１６６０は、処理回路構成１６７０と、デバイス可読媒体１６８０と、インターフェース１６９０と、補助機器１６８８と、電源１６８６と、電力回路構成１６８７と、アンテナ１６６２とを含む。図１６の例示の無線ネットワークに示されるネットワークノード１６６０は、ハードウェア構成要素の図示される組み合わせを含むデバイスを表すことがあるが、他の実施形態は、構成要素の異なる組み合わせを含むネットワークノードを備えてもよい。ネットワークノードは、本明細書に開示するタスク、特徴、機能、および方法を実施するのに必要な、ハードウェアおよび／またはソフトウェアの任意の適切な組み合わせを含むことが理解されるべきである。更に、ネットワークノード１６６０の構成要素は、より大きいボックス内に位置するかまたは複数のボックス内に入れ子状になった、単独のボックスとして示されているが、実際上、ネットワークノードは、単一の図示される構成要素を構成する複数の異なる物理的構成要素を含んでもよい（例えば、デバイス可読媒体１６８０は、複数の別個のハードドライブならびに複数のＲＡＭモジュールを備えてもよい）。
【００６３】
同様に、ネットワークノード１６６０は、各々がそれぞれ自身の構成要素を有してもよい、複数の物理的に別個の構成要素（例えば、ノードＢコンポーネントおよびＲＮＣコンポーネント、またはＢＴＳコンポーネントおよびＢＳＣコンポーネントなど）から成ってもよい。ネットワークノード１６６０が複数の別個の構成要素（例えば、ＢＴＳおよびＢＳＣコンポーネント）を備える特定のシナリオでは、別個の構成要素の１つまたは複数が、いくつかのネットワークノードの間で共有されてもよい。例えば、単一のＲＮＣが複数のノードＢを制御してもよい。かかるシナリオでは、ノードＢおよびＲＮＣの固有の各対が、場合によっては、単一の別個のネットワークノードと見なされてもよい。いくつかの実施形態では、ネットワークノード１６６０は、複数の無線アクセス技術（ＲＡＴ）に対応するように構成されてもよい。かかる実施形態では、いくつかの構成要素が重複してもよく（例えば、異なるＲＡＴに対して別個のデバイス可読媒体１６８０）、いくつかの構成要素は再使用されてもよい〈例えば、同じアンテナ１６６２がＲＡＴによって共有されてもよい）。ネットワークノード１６６０はまた、例えば、ＧＳＭ、ＷＣＤＭＡ、ＬＴＥ、ＮＲ、ＷｉＦｉ、またはブルートゥース無線技術など、ネットワークノード１６６０に統合された異なる無線技術に関する複数組の様々な図示される構成要素を含んでもよい。これらの無線技術は、同じまたは異なるチップもしくはチップセット、およびネットワークノード１６６０内の他の構成要素に統合されてもよい。
【００６４】
処理回路構成１６７０は、ネットワークノードによって提供されるものとして本明細書に記載される、任意の決定、計算、または類似の動作（例えば、特定の取得動作）を実施するように構成される。処理回路構成１６７０によって実施されるこれらの動作は、例えば、取得された情報を他の情報に変換すること、取得された情報または変換された情報をネットワークノードに格納された情報と比較すること、ならびに／あるいは取得された情報または変換された情報に基づいて１つもしくは複数の動作を実施することによって、処理回路構成１６７０によって取得される情報を処理すること、ならびに前記処理の結果として決定を行うことを含んでもよい。
【００６５】
処理回路構成１６７０は、マイクロプロセッサ、コントローラ、マイクロコントローラ、中央処理装置、デジタル信号プロセッサ、特定用途向け集積回路、フィールドプログラマブルゲートアレイ、または他の任意の適切なコンピューティングデバイス、リソース、あるいは単独で、または他のネットワークノード１６６０の構成要素（デバイス可読媒体１６８０、ネットワークノード１６６０の機能性など）と併せて提供するように動作可能な、ハードウェア、ソフトウェア、および／または符号化論理の組み合わせのうち、１つもしくは複数のものの組み合わせを備えてもよい。例えば、処理回路構成１６７０は、デバイス可読媒体１６８０に、または処理回路構成１６７０内のメモリに格納された命令を実行してもよい。かかる機能性は、本明細書で考察する様々な無線の特徴、機能、または利益のいずれかを提供することを含んでもよい。いくつかの実施形態では、処理回路構成１６７０はシステムオンチップ（ＳＯＣ）を含んでもよい。
【００６６】
いくつかの実施形態では、処理回路構成１６７０は、無線周波数（ＲＦ）送受信機回路構成１６７２およびベースバンド処理回路構成１６７４の１つまたは複数を含んでもよい。いくつかの実施形態では、無線周波数（ＲＦ）送受信機回路構成１６７２およびベースバンド処理回路構成１６７４は、別個のチップ（もしくはチップセット）、ボード、または無線ユニットおよびデジタルユニットなどのユニット上にあってもよい。代替実施形態では、ＲＦ送受信機回路構成１６７２およびベースバンド処理回路構成１６７４の一部または全ては、同じチップもしくはチップセット、ボード、またはユニットの上にあってもよい。
【００６７】
特定の実施形態では、ネットワークノード、基地局、ｅＮＢ、または他のかかるネットワークデバイスによって提供されるものとして本明細書に記載する機能性の一部または全ては、デバイス可読媒体１６８０または処理回路構成１６７０内のメモリに格納された命令を実行する、処理回路構成１６７０によって実施されてもよい。代替実施形態では、機能性の一部または全ては、ハードワイヤード方式などで、別個のまたは離散的なデバイス可読媒体に格納された命令を実行することなく、処理回路構成１６７０によって提供されてもよい。それらの実施形態のいずれかにおいて、デバイス可読記憶媒体に格納された命令を実行するか否かにかかわらず、処理回路構成１６７０は、記載される機能性を実施するように構成することができる。かかる機能性によって提供される利益は、処理回路構成１６７０のみに、またはネットワークノード１６６０の他の構成要素に限定されず、ネットワークノード１６６０全体ならびに／あるいはエンドユーザおよび無線ネットワーク全般によって享受される。
【００６８】
デバイス可読媒体１６８０は、非限定的に、永続記憶装置、固体メモリ、リモート実装メモリ、磁気媒体、光学媒体、ランダムアクセスメモリ（ＲＡＭ）、読出し専用メモリ（ＲＯＭ）、大容量記憶媒体（例えば、ハードディスク）、リムーバブル記憶媒体（例えば、フラッシュドライブ、コンパクトディスク（ＣＤ）、もしくはデジタルビデオディスク（ＤＶＤ））、ならびに／または他の任意の揮発性もしくは不揮発性非一時的デバイス可読および／もしくはコンピュータ実行可能メモリデバイスを含む、処理回路構成１６７０によって使用されてもよい情報、データ、および／もしくは命令を格納する、任意の形態の揮発性または不揮発性コンピュータ可読メモリを含んでもよい。デバイス可読媒体１６８０は、論理、規則、コード、テーブルなどの１つもしくは複数を含むコンピュータプログラム、ソフトウェア、アプリケーションを含む、任意の適切な命令、データ、または情報、あるいは処理回路構成１６７０によって実行され、ネットワークノード１６６０によって利用され得る他の命令を格納してもよい。デバイス可読媒体１６８０は、処理回路構成１６７０によって行われる任意の計算、および／またはインターフェース１６９０を介して受信される任意のデータを格納するのに使用されてもよい。いくつかの実施形態では、処理回路構成１６７０およびデバイス可読記憶媒体１６８０は、統合されたものと見なされてもよい。
【００６９】
インターフェース１６９０は、ネットワークノード１６６０、ネットワーク１６０６、および／またはＷＤ  １６１０の間における、シグナリングおよび／またはデータの有線または無線通信で使用される。図示されるように、インターフェース１６９０は、例えば、有線接続を通じてネットワーク１６０６との間でデータを送受信する、ポート／端子１６９４を備える。インターフェース１６９０はまた、アンテナ１６６２に、または特定の実施形態ではその一部に連結されてもよい、無線フロントエンド回路構成１６９２を含む。無線フロントエンド回路構成１６９２はフィルタ１６９８および増幅器１６９６を備える。無線フロントエンド回路構成１６９２はアンテナ１６６２および処理回路構成１６７０に接続されてもよい。無線フロントエンド回路構成は、アンテナ１６６２と処理回路構成１６７０との間で通信される信号を調整するように構成されてもよい。無線フロントエンド回路構成１６９２は、無線接続を介して他のネットワークノードまたはＷＤに対して送出されるべきである、デジタルデータを受信してもよい。無線フロントエンド回路構成１６９２は、フィルタ１６９８および／または増幅器１６９６の組み合わせを使用して、デジタルデータを、適切なチャネルおよび帯域幅パラメータを有する無線信号へと変換してもよい。無線信号は次に、アンテナ１６６２を介して送信されてもよい。同様に、データを受信するとき、アンテナ１６６２は無線信号を収集してもよく、それらは次に、無線フロントエンド回路構成１６９２によってデジタルデータへと変換される。デジタルデータは処理回路構成１６７０に渡されてもよい。他の実施形態では、インターフェースは、異なる構成要素および／または構成要素の異なる組み合わせを備えてもよい。
【００７０】
特定の代替実施形態では、ネットワークノード１６６０は別個の無線フロントエンド回路構成１６９２を含まなくてもよく、代わりに、処理回路構成１６７０は、無線フロントエンド回路構成を備えてもよく、別個の無線フロントエンド回路構成１６９２なしでアンテナ１６６２に接続されてもよい。同様に、いくつかの実施形態では、ＲＦ送受信機回路構成１６７２の全てまたは一部はインターフェース１６９０の一部と見なされてもよい。更に他の実施形態では、インターフェース１６９０は、無線ユニット（図示なし）の一部として、１つもしくは複数のポートまたは端子１６９４、無線フロントエンド回路構成１６９２、およびＲＦ送受信機回路構成１６７２を含んでもよく、インターフェース１６９０は、デジタルユニット（図示なし）の一部である、ベースバンド処理回路構成１６７４と通信してもよい。
【００７１】
アンテナ１６６２は、無線信号を送信および／または受信するように構成された、１つもしくは複数のアンテナまたはアンテナアレイを含んでもよい。アンテナ１６６２は、無線フロントエンド回路構成１６９０に連結されてもよく、データおよび／または信号を無線で送受信することができる、任意のタイプのアンテナであってもよい。いくつかの実施形態では、アンテナ１６６２は、例えば、２ＧＨｚ〜６６ＧＨｚの無線信号を送受信するように動作可能な、１つもしくは複数の全方向性、セクター、またはパネルアンテナを含んでもよい。全方向性アンテナは、任意の方向で無線信号を送受信するのに使用されてもよく、セクターアンテナは、特定のエリア内でデバイスから無線信号を送受信するのに使用されてもよく、パネルアンテナは、比較的直線で無線信号を送受信するのに使用される見通し線アンテナであってもよい。いくつかの例では、１つを超えるアンテナの使用はＭＩＭＯと呼ばれることがある。特定の実施形態では、アンテナ１６６２は、ネットワークノード１６６０とは別個であってもよく、インターフェースまたはポートを通してネットワークノード１６６０に接続可能であってもよい。
【００７２】
アンテナ１６６２、インターフェース１６９０、および／または処理回路構成１６７０は、ネットワークノードによって実施されるものとして、本明細書に記載するあらゆる受信動作および／または特定の取得動作を実施するように構成されてもよい。あらゆる情報、データ、および／または信号は、無線デバイス、別のネットワークノード、および／または他の任意のネットワーク機器から受信されてもよい。同様に、アンテナ１６６２、インターフェース１６９０、および／または処理回路構成１６７０は、ネットワークノードによって実施されるものとして、本明細書に記載するあらゆる送信動作を実施するように構成されてもよい。あらゆる情報、データ、および／または信号は、無線デバイス、別のネットワークノード、および／または他の任意のネットワーク機器に送信されてもよい。
【００７３】
電力回路構成１６８７は、電力管理回路構成を含むかまたはそれに連結されてもよく、ネットワークノード１６６０の構成要素に、本明細書に記載する機能性を実施する電力を供給するように構成される。電力回路構成１６８７は電源１６８６から電力を受信してもよい。電源１６８６および／または電力回路構成１６８７は、それぞれの構成要素に適した形態で（例えば、それぞれの構成要素に必要な電圧および電流レベルで）、ネットワークノード１６６０の様々な構成要素に電力を提供するように構成されてもよい。電源１６８６は、回路構成１６８７および／またはネットワークノード１６６０に含まれるか、あるいはその外部にあってもよい。例えば、ネットワークノード１６６０は、入力回路構成、または電気ケーブルなどのインターフェースを介して、外部電源（例えば、電気コンセント）に接続可能であってもよく、外部電源は電力を電力回路構成１６８７に供給する。更なる例として、電源１６８６は、電力回路構成１６８７に接続されるかまたは統合される、電池もしくは電池パックの形態の電源を含んでもよい。電池は、外部電源が故障した場合のバックアップ電力を提供してもよい。光起電デバイスなど、他のタイプの電源も使用されてもよい。
【００７４】
ネットワークノード１６６０の代替実施形態は、本明細書に記載する機能性のいずれか、および／または本明細書に記載する主題に対応するのに必要な任意の機能性を含む、ネットワークノードの機能性の特定の態様を提供することに関与してもよい、図１６に示されるものを超える追加の構成要素を含んでもよい。例えば、ネットワークノード１６６０は、情報をネットワークノード１６６０に入力するのを可能にし、情報をネットワークノード１６６０から出力するのを可能にする、ユーザインターフェース機器を含んでもよい。これは、ネットワークノード１６６０に対する診断、保守、修理、および他の管理機能をユーザが実施するのを可能にしてもよい。
【００７５】
本明細書で使用するとき、無線デバイス（ＷＤ）は、ネットワークノードおよび／または他の無線デバイスと無線で通信することができる、そのように構成されている、そのように配置されている、および／またはそのように動作可能であるデバイスを指す。別段の記述がない限り、ＷＤという用語は、本明細書ではユーザ機器（ＵＥ）と交換可能に使用されてもよい。特定の実施形態では、無線デバイス１６１０は、図１８に更に図示されるユーザ機器であってもよい。無線通信には、電磁波、電波、赤外線波、および／または無線で情報を伝達するのに適した他のタイプの信号を使用して、無線信号を送信および／または受信することが関与してもよい。いくつかの実施形態では、ＷＤは、直接的な人間の相互作用なしに情報を送信および／または受信するように構成されてもよい。例えば、ＷＤは、内部もしくは外部イベントによって起動されると、またはネットワークからの要求に応答して、所定のスケジュールでネットワークに情報を送信するように設計されてもよい。ＷＤの例としては、スマートフォン、移動電話、携帯電話、ボイスオーバーＩＰ（ＶｏＩＰ）電話、無線ローカルループ電話、デスクトップコンピュータ、携帯情報端末（ＰＤＡ）、無線カメラ、ゲームコンソールもしくはデバイス、音楽記憶デバイス、再生器具、ウェアラブル端末デバイス、無線エンドポイント、移動局、タブレット、ラップトップ、ラップトップ内蔵機器（ＬＥＥ）、ラップトップ搭載機器（ＬＭＥ）、スマートデバイス、無線カスタマー構内設備（ＣＰＥ）、車載型無線端末デバイスなどが挙げられるが、それらに限定されない。ＷＤは、例えば、サイドリンク通信の３ＧＰＰ規格を実現することによるＤ２Ｄ（device-to-device）通信、Ｖ２Ｖ（vehicle-to-vehicle）、Ｖ２Ｉ（vehicle-to-infrastructure）、Ｖ２Ｘ（vehicle-to-everything）に対応してもよく、この場合、Ｄ２Ｄ通信デバイスと呼ばれることがある。更に別の特定の例として、物のインターネット（ＩｏＴ）のシナリオでは、ＷＤは、監視および／または測定を実施し、かかる監視および／または測定の結果を別のＷＤおよび／またはネットワークノードに送信する、機械または他のデバイスを表してもよい。ＷＤは、この場合、３ＧＰＰの文脈ではＭＴＣデバイスと呼ばれることがある、マシンツーマシン（Ｍ２Ｍ）デバイスであってもよい。１つの特定の例として、ＷＤは、３ＧＰＰ狭帯域物のインターネット（ＮＢ−ＩｏＴ）規格を実現するＵＥであってもよい。かかるマシンまたはデバイスの特定の例は、センサ、電力計などの計量デバイス、工業用機械類、家庭用または個人用電気器具（例えば、冷蔵庫、テレビなど）、個人用ウェアラブル（例えば、時計、フィットネストラッカーなど）である。他のシナリオでは、ＷＤは、その動作状態またはその動作と関連付けられた他の機能に関して監視および／または報告することができる、車両用または他の機器を表してもよい。上述したようなＷＤは、無線接続のエンドポイントを表してもよく、その場合、デバイスは無線端末と呼ばれることがある。更に、上述したようなＷＤは移動体であってもよく、その場合、移動デバイスまたは移動端末と呼ばれることもある。
【００７６】
図示されるように、無線デバイス１６１０は、アンテナ１６１１、インターフェース１６１４、処理回路構成１６２０、デバイス可読媒体１６３０、ユーザインターフェース機器１６３２、補助機器１６３４、電源１６３６、および電力回路構成１６３７を含む。ＷＤ  １６１０は、例えば、例を挙げると、ＧＳＭ、ＷＣＤＭＡ、ＬＴＥ、ＮＲ、ＷｉＦｉ、ＷｉＭＡＸ、またはブルートゥース無線技術など、ＷＤ  １６１０が対応する異なる無線技術に対して、図示される構成要素のうち１つまたは複数のものの複数組を含んでもよい。これらの無線技術は、ＷＤ  １６１０内の他の構成要素と同じもしくは異なるチップまたはチップセットに統合されてもよい。
【００７７】
アンテナ１６１１は、無線信号を送信および／または受信するように構成された、１つもしくは複数のアンテナまたはアンテナアレイを含んでもよく、インターフェース１６１４に接続される。特定の代替実施形態では、アンテナ１６１１は、ＷＤ  １６１０とは別個であってもよく、インターフェースまたはポートを通してＷＤ  １６１０に接続可能であってもよい。アンテナ１６１１、インターフェース１６１４、および／または処理回路構成１６２０は、ＷＤによって実施されるものとして本明細書に記載される、あらゆる受信または送信動作を実施するように構成されてもよい。あらゆる情報、データ、および／または信号は、ネットワークノードおよび／または別のＷＤから受信されてもよい。いくつかの実施形態では、無線フロントエンド回路構成および／またはアンテナ１６１１は、インターフェースと見なされてもよい。
【００７８】
図示されるように、インターフェース１６１４は無線フロントエンド回路構成１６１２およびアンテナ１６１１を備える。無線フロントエンド回路構成１６１２は、１つまたは複数のフィルタ１６１８および増幅器１６１６を備える。無線フロントエンド回路構成１６１４は、アンテナ１６１１および処理回路構成１６２０に接続され、アンテナ１６１１と処理回路構成１６２０との間で通信される信号を調整するように構成される。無線フロントエンド回路構成１６１２は、アンテナ１６１１に連結されるか、またはその一部であってもよい。いくつかの実施形態では、ＷＤ  １６１０は、別個の無線フロントエンド回路構成１６１２を含まなくてもよく、それよりもむしろ、処理回路構成１６２０は、無線フロントエンド回路構成を備えてもよく、アンテナ１６１１に接続されてもよい。同様に、いくつかの実施形態では、ＲＦ送受信機回路構成１６２２の全てまたは一部はインターフェース１６１４の一部と見なされてもよい。無線フロントエンド回路構成１６１２は、無線接続を介して他のネットワークノードまたはＷＤに対して送出されるべきである、デジタルデータを受信してもよい。無線フロントエンド回路構成１６１２は、フィルタ１６１８および／または増幅器１６１６の組み合わせを使用して、デジタルデータを、適切なチャネルおよび帯域幅パラメータを有する無線信号へと変換してもよい。無線信号は次に、アンテナ１６１１を介して送信されてもよい。同様に、データを受信するとき、アンテナ１６１１は無線信号を収集してもよく、それらは次に、無線フロントエンド回路構成１６１２によってデジタルデータへと変換される。デジタルデータは処理回路構成１６２０に渡されてもよい。他の実施形態では、インターフェースは、異なる構成要素および／または構成要素の異なる組み合わせを備えてもよい。
【００７９】
処理回路構成１６２０は、マイクロプロセッサ、コントローラ、マイクロコントローラ、中央処理装置、デジタル信号プロセッサ、特定用途向け集積回路、フィールドプログラマブルゲートアレイ、または他の任意の適切なコンピューティングデバイス、リソース、あるいは単独で、または他のＷＤ  １６１０の構成要素（デバイス可読媒体１６３０、ＷＤ  １６１０の機能性など）と併せて提供するように動作可能な、ハードウェア、ソフトウェア、および／または符号化論理の組み合わせのうち、１つもしくは複数のものの組み合わせを備えてもよい。かかる機能性は、本明細書で考察する様々な無線の特徴または利益のいずれかを提供することを含んでもよい。例えば、処理回路構成１６２０は、デバイス可読媒体１６３０に、または処理回路構成１６２０内のメモリに格納された命令を実行して、本明細書に開示する機能性を提供してもよい。
【００８０】
図示されるように、処理回路構成１６２０は、ＲＦ送受信機回路構成１６２２、ベースバンド処理回路構成１６２４、およびアプリケーション処理回路構成１６２６の１つまたは複数を含む。他の実施形態では、処理回路構成は、異なる構成要素および／または構成要素の異なる組み合わせを備えてもよい。特定の実施形態では、ＷＤ  １６１０の処理回路構成１６２０はＳＯＣを備えてもよい。いくつかの実施形態では、ＲＦ送受信機回路構成１６２２、ベースバンド処理回路構成１６２４、およびアプリケーション処理回路構成１６２６は、別個のチップまたはチップセット上にあってもよい。代替実施形態では、ベースバンド処理回路構成１６２４およびアプリケーション処理回路構成１６２６の一部または全ては、１つのチップまたはチップセットに組み入れられてもよく、ＲＦ送受信機回路構成１６２２は別個のチップまたはチップセット上にあってもよい。更なる代替実施形態では、ＲＦ送受信機回路構成１６２２およびベースバンド処理回路構成１６２４の一部または全てが、同じチップまたはチップセット上にあってもよく、アプリケーション処理回路構成１６２６が別個のチップまたはチップセット上にあってもよい。更なる他の代替実施形態では、ＲＦ送受信機回路構成１６２２、ベースバンド処理回路構成１６２４、およびアプリケーション処理回路構成１６２６の一部または全てが、同じチップまたはチップセットに組み入れられてもよい。いくつかの実施形態では、ＲＦ送受信機回路構成１６２２はインターフェース１６１４の一部であってもよい。ＲＦ送受信機回路構成１６２２は、処理回路構成１６２０に対するＲＦ信号を調整してもよい。
【００８１】
特定の実施形態では、ＷＤによって実施されるものとして本明細書に記載される機能性の一部または全ては、特定の実施形態ではコンピュータ可読記憶媒体であってもよい、デバイス可読媒体１６３０に格納された命令を処理回路構成１６２０が実行することによって提供されてもよい。代替実施形態では、機能性の一部または全ては、ハードワイヤード方式などで、別個のまたは離散的なデバイス可読記憶媒体に格納された命令を実行することなく、処理回路構成１６２０によって提供されてもよい。これら特定の実施形態のいずれかにおいて、デバイス可読記憶媒体に格納された命令を実行するか否かにかかわらず、処理回路構成１６２０は、記載される機能性を実施するように構成することができる。かかる機能性によって提供される利益は、処理回路構成１６２０のみに、またはＷＤ  １６１０の他の構成要素に限定されず、ＷＤ  １６１０全体ならびに／あるいはエンドユーザおよび無線ネットワーク全般によって享受される。
【００８２】
処理回路構成１６２０は、ＷＤによって実施されるものとして本明細書に記載される、任意の決定、計算、または類似の動作（例えば、特定の取得動作）を実施するように構成されてもよい。処理回路構成１６２０によって実施されるようなこれらの動作は、例えば、取得された情報を他の情報に変換すること、取得された情報または変換された情報をＷＤ  １６１０によって格納された情報と比較すること、ならびに／あるいは取得された情報または変換された情報に基づいて１つもしくは複数の動作を実施することによって、処理回路構成１６２０によって取得される情報を処理すること、ならびに前記処理の結果として決定を行うことを含んでもよい。
【００８３】
デバイス可読記憶媒体１６３０は、１つもしくは複数の論理、規則、符号、テーブルなどを含む、コンピュータプログラム、ソフトウェア、アプリケーション、ならびに／あるいは処理回路構成１６２０によって実行することができる他の命令を格納するように動作可能であってもよい。デバイス可読記憶媒体１６３０の例としては、コンピュータメモリ（例えば、ランダムアクセスメモリ（ＲＡＭ）または読出し専用メモリ（ＲＯＭ））、大容量記憶媒体（例えば、ハードディスク）、リムーバブル記憶媒体（例えば、コンパクトディスク（ＣＤ）またはデジタルビデオディスク（ＤＶＤ））、ならびに／あるいは、処理回路構成１６２０によって使用されてもよい情報、データ、および／または命令を格納する、他の任意の揮発性もしくは不揮発性非一時的デバイス可読および／またはコンピュータ実行可能メモリデバイスを挙げることができる。いくつかの実施形態では、処理回路構成１６２０およびデバイス可読記憶媒体１６３０は、統合されたものと見なされてもよい。
【００８４】
ユーザインターフェース機器１６３２は、人間のユーザがＷＤ  １６１０と相互作用することを可能にする構成要素を提供してもよい。かかる相互作用は、視覚、聴覚、触覚など、多くの形態のものであってもよい。ユーザインターフェース機器１６３２は、ユーザに対する出力を生成し、ユーザがＷＤ  １６１０への入力を提供するように動作可能であってもよい。相互作用のタイプは、ＷＤ  １６１０にインストールされるユーザインターフェース機器１６３２のタイプに応じて変わってもよい。例えば、ＷＤ  １６１０がスマートフォンの場合、相互作用はタッチスクリーンを介してもよく、ＷＤ  １６１０がスマートメータの場合、相互作用は、使用（例えば、使用したガロン数）を提供する画面、または（例えば、煙が検出された場合に）可聴警告音を提供するスピーカーを通すものであってもよい。ユーザインターフェース機器１６３２は、入力インターフェース、デバイス、および回路、ならびに出力インターフェース、デバイス、および回路を含んでもよい。ユーザインターフェース機器１６３２は、ＷＤ  １６１０への情報の入力を可能にするように構成され、処理回路構成１６２０に接続されて、処理回路構成１６２０が入力情報を処理するのを可能にする。ユーザインターフェース機器１６３２は、例えば、マイクロフォン、近接センサもしくは他のセンサ、キー／ボタン、タッチディスプレイ、１つもしくは複数のカメラ、ＵＳＢポート、または他の入力回路構成を含んでもよい。ユーザインターフェース機器１６３２はまた、ＷＤ  １６１０からの情報の出力を可能にし、処理回路構成１６２０が情報をＷＤ  １６１０から出力するのを可能にするように構成される。ユーザインターフェース機器１６３２は、例えば、スピーカー、ディスプレイ、振動回路構成、ＵＳＢポート、ヘッドフォンインターフェース、または他の出力回路構成を含んでもよい。ユーザインターフェース機器１６３２の１つまたは複数の入力および出力インターフェース、デバイス、および回路を使用して、ＷＤ  １６１０は、エンドユーザおよび／または無線ネットワークと通信し、それらが本明細書に記載する機能性から利益を得ることを可能にしてもよい。
【００８５】
補助機器１６３４は、一般にはＷＤによって実施されないことがある、より具体的な機能性を提供するように動作可能である。これは、様々な目的の測定を行う専用センサ、有線通信などの追加のタイプの通信のためのインターフェースなどを含んでもよい。補助機器１６３４を含むこと、またその構成要素のタイプは、実施形態および／またはシナリオに応じて異なってもよい。
【００８６】
電源１６３６は、いくつかの実施形態では、電池または電池パックの形態のものであってもよい。外部電源（例えば、電気コンセント）、光起電デバイス、またはパワーセルなど、他のタイプの電源も使用されてもよい。ＷＤ  １６１０は、本明細書に記載または指示される任意の機能性を実施するのに電源１６３６からの電力を必要とするＷＤ  １６１０の様々な部分に、電源１６３６から電力を送達する、電力回路構成１６３７を更に備えてもよい。電力回路構成１６３７は、特定の実施形態では、電力管理回路構成を含んでもよい。電力回路構成１６３７は、それに加えてまたはその代わりに、外部電源から電力を受信するように動作可能であってもよく、その場合、ＷＤ  １６１０は、入力回路構成、または電力ケーブルなどのインターフェースを介して、外部電源（電気コンセントなど）に接続可能であってもよい。電力回路構成１６３７はまた、特定の実施形態では、外部電源から電源１６３６に電力を送達するように動作可能であってもよい。これは、例えば、電源１６３６を充電するものであってもよい。電力回路構成１６３７は、電源１６３６からの電力に対して任意のフォーマット化、変換、または他の修正を実施して、電力が供給されるＷＤ  １６１０のそれぞれの構成要素に適した電力にしてもよい。
【００８７】
ＥＮ−ＤＣでは、ＮＲセルは、マスタ情報ブロック（ＭＩＢ）をブロードキャストして、ＵＥがＥＮ−ＤＣで動作する正しいＮＲセルを見つけられるようにする。ＮＲセルはまた、システム情報ブロック要素（ＳＩＢ１）をブロードキャストしてもよい。任意のＮＲ  ＳＡ可能なＵＥがＮＲ  ＮＳＡセルにキャンプまたはアクセスするのを防ぐために、セルは、全てのＵＥに対して制限されてもよい。いくつかの実施形態について以下に記載する。
【００８８】
第１の実施形態によれば、ＳＩＢ１は、セルが制限されているという指示を含む。全てのＮＲ  ＳＡ可能なＵＥは、この指示を読み取り、このセルにキャンプまたはアクセスするのを回避する。ＳＡ  ＮＲ動作が可能なＩＡＢノードが、ＳＡ  ＮＲを使用してこのセルに、即ち通常のＵＥは制限されているセルにアクセスできるようにするために、ＳＡ  ＮＲを使用してセルに依然としてアクセスできることをＩＡＢノードに通知する、追加の指示がＳＩＢ１に導入される。追加の指示は表１として以下に示される。
表１  第１の実施形態のＳＩＢ１
2021514122.tif 000003
【００８９】
上述のコーディングでは、Ｒｅｓｅｒｖｅｄという用語が使用される。Ｒｅｓｅｒｖｅｄは、ここでは、確保されていると示されるＵＥのグループがセルにアクセスすることを許可されることを意味せず、それよりもむしろ逆に、これらのＵＥはセルにアクセスすることが許可されていない。これは、レガシー３ＧＰＰの専門用語に適応するためである。
【００９０】
したがって、この場合、ＩＡＢノードは、ＮＲセルブロードキャストチャネルからＳＩＢ１を獲得する。それによってＳＩＢを復号し、セルが確保されているかを確かめる。例えば、確保されていることを示すｒｅｓｅｒｖｅｄＮＲ−Ｃｅｌｌが存在する。Ｒｅｓｅｒｖｅｄは、ここでは、通常のＵＥがセルにアクセスすることが許可されないことを意味する。
【００９１】
セルが確保されていない場合、例えば、ｒｅｓｅｒｖｅｄＮＲ−Ｃｅｌｌは設定されないかまたは存在しない場合、これは、ＩＡＢノードならびに他のＵＥがセルにアクセスすることができることを意味する。
【００９２】
セルが確保されている場合、例えば、ｒｅｓｅｒｖｅｄＮＲ−Ｃｅｌｌが設定されている場合、ＩＡＢノードは、ＲｅｓｅｒｖｅｄＮＲ−ＣｅｌｌＥｘｃｅｐｔｉｏｎｓ構造を更にチェックして、セルがＩＡＢノードに対しても確保されているかを確かめ、つまり、ＲｅｓｅｒｖｅｄＮＲ−ＣｅｌｌＥｘｃｅｐｔｉｏｎｓの内部にｃｅｌｌＲｅｓｅｒｖｅｄＦｏｒＩＡＢｎｏｄｅｓ情報要素（ＩＥ）が存在するか、または確保されるようにセットされているかを確かめる。情報要素が存在する場合、ＩＡＢノードはセルにアクセスしないが、セルがＩＡＢノードに対して確保されていない場合、つまりｃｅｌｌＲｅｓｅｒｖｅｄＦｏｒＩＡＢｎｏｄｅｓが存在しない場合、ＩＡＢノードはセルにアクセスすることができる。
【００９３】
第２の実施形態にしたがって、同じ挙動に対する代替のコーディングが以下の表２に示されている。
表２  第２の実施形態のＳＩＢ１
2021514122.tif 000004
【００９４】
代替のコーディングを使用するこの事例では、ｒｅｓｅｒｖｅｄＮＲ−Ｃｅｌｌが確保されていた場合、ＩＡＢノードはＲｅｓｅｒｖｅｄＮＲ−ＣｅｌｌＥｘｃｅｐｔｉｏｎｓをチェックして、セルにアクセスすることが依然として許可されているかを確かめ、つまりｃｅｌｌＲｅｓｅｒｖｅｄＦｏｒＩＡＢｎｏｄｅｓが存在するか、または許可されるようにセットされているかを確かめるものと仮定される。これが該当する場合、ＩＡＢノードはセルにアクセスすることができる。そうでなければ、ＩＡＢノードはセルにアクセスすることができず、つまりｃｅｌｌＲｅｓｅｒｖｅｄＦｏｒＩＡＢｎｏｄｅｓは存在しない。
【００９５】
第３の実施形態によれば、上述の第１および第２の実施形態におけるＳＩＢ１は、他の確保または許可が存在する場合も有効である。確保および許可は独立して扱われ、つまり、例えば、ＩＡＢノードはＩＡＢノードに関連するＩＥのみを考慮し、他のＩＥの読取り、復号、または処理を行う必要はない。確保の事例の一例が以下の表３に示されており、ＵＥの他のグループに関する情報もＲｅｓｅｒｖｅｄＮＲ−ＣｅｌｌＥｘｃｅｐｔｉｏｎｓリストに含まれている。
表３  第３の実施形態のＳＩＢ１
2021514122.tif 000005
【００９６】
第４の実施形態によれば、より単純な解決策は、確保または許可のリストを有する代わりに、主要なｃｅｌｌＡｃｃｅｓｓＲｅｌａｔｅｄＩｎｆｏＬｉｓｔで直接ＩＡＢノードの確保または許可を示すものである。第４の実施形態に関するＳＩＢ１の一例が、以下の表４に示されている。
表４  第４の実施形態のＳＩＢ１
2021514122.tif 000006
【００９７】
上述した全ての実施形態は、オペレータが、ＮＲスタンドアロン動作に使用される追加のＳＩＢをブロードキャストすることを可能にする。セルにＩＡＢノードがアクセスすることのみが許可される場合、即ち他のＵＥに対して確保されている場合、それらのＳＩＢはＩＡＢノードによってのみ読み取られる。
【００９８】
スタンドアロンモードでＮＲセルにアクセスするため、ＩＡＢノードは、図１７に示されるように、ランダムアクセス手順を実施し、次にＲＲＣシグナリングを伝送する。ＲＲＣシグナリングを伝送した後、自身を５ＧＣコアネットワークに対して認証する。また、５ＧＣユーザプレーン機能（ＵＰＦ）に対してＰＤＵセッションをセットアップして、ＩＰコネクティビティを達成する。５ＧＣネットワークは、ＩＡＢノードにサーブする専用の５ＧＣインスタンスであってもよく、またはＳＡ  ＮＲがＵＥにも対応している場合、他のＵＥにもサーブする５ＧＣネットワークであってもよい。
【００９９】
図１８は、本明細書に記載する様々な態様による、ＵＥの一実施形態を示している。本明細書で使用するとき、ユーザ機器、即ちＵＥは、関連デバイスを所有および／または操作する人間のユーザという意味では、必ずしもユーザを有さなくてもよい。代わりに、ＵＥは、人間のユーザに販売するか人間のユーザによって操作されることが意図されるが、特定の人間のユーザと関連付けられないことがある、または最初は関連付けられないことがあるデバイスを表してもよい（例えば、スマートスプリンクラーコントローラ）。あるいは、ＵＥは、エンドユーザに販売するかエンドユーザによって操作されることは意図されないが、ユーザと関連付けられるかまたはユーザの利益のために操作されてもよいデバイスを表してもよい（例えば、スマート電力計）。ＵＥ  １８００は、ＮＢ−ＩｏＴ  ＵＥ、ＭＴＣ  ＵＥ、および／または拡張型ＭＴＣ（ｅＭＴＣ）ＵＥを含む、第３世代パートナーシッププロジェクト（３ＧＰＰ）によって特定される任意のＵＥであってもよい。図１８に示されるようなＵＥ  １８００は、３ＧＰＰのＧＳＭ、ＵＭＴＳ、ＬＴＥ、および／または５Ｇ規格など、第３世代パートナーシッププロジェクト（３ＧＰＰ）によって普及される１つまたは複数の通信規格にしたがった通信向けに構成されたＷＤの一例である。上述したように、ＷＤおよびＵＥという用語は交換可能に使用されてもよい。したがって、図１８はＵＥであるが、本明細書で考察する構成要素はＷＤに等しく適用可能であり、その逆もまた真である。
【０１００】
図１８では、ＵＥ  １８００は、入出力インターフェース１８０５、無線周波数（ＲＦ）インターフェース１８０９、ネットワーク接続インターフェース１８１１、メモリ１８１５（ランダムアクセスメモリ（ＲＡＭ）１８１７、読出し専用メモリ（ＲＯＭ）１８１９、および記憶媒体１８２１などを含む）、通信サブシステム１８３１、電源１８３３、および／または他の任意の構成要素、あるいはそれらの任意の組み合わせに動作可能に連結された、処理回路構成１８０１を含む。記憶媒体１８２１は、オペレーティングシステム１８２３、アプリケーションプログラム１８２５、およびデータ１８２７を含む。他の実施形態では、記憶媒体１８２１は他の類似のタイプの情報を含んでもよい。特定のＵＥは、図１８に示される構成要素の全て、または構成要素のサブセットのみを利用してもよい。構成要素間の統合レベルはＵＥごとに異なってもよい。更に、特定のＵＥは、複数のプロセッサ、メモリ、送受信機、送信機、受信機など、構成要素の複数の例を含んでもよい。
【０１０１】
図１８では、処理回路構成１８０１は、コンピュータ命令およびデータを処理するように構成されてもよい。処理回路構成１８０１は、１つもしくは複数のハードウェア実装状態機械（例えば、離散的な論理、ＦＰＧＡ、ＡＳＩＣなど）、適切なファームウェアを伴うプログラマブル論理、１つもしくは複数の格納されたプログラム、適切なソフトウェアを伴うマイクロプロセッサもしくはデジタル信号プロセッサ（ＤＳＰ）などの汎用プロセッサ、または上記のものの任意の組み合わせなど、機械可読コンピュータプログラムとしてメモリに格納された機械命令を実行するように動作可能な、任意の連続状態機械を実現するように構成されてもよい。例えば、処理回路構成１８０１は２つの中央処理装置（ＣＰＵ）を含んでもよい。データは、コンピュータが使用するのに適した形態の情報であってもよい。
【０１０２】
図示される実施形態では、入出力インターフェース１８０５は、入力デバイス、出力デバイス、または入出力デバイスに対する通信インターフェースを提供するように構成されてもよい。ＵＥ  １８００は、入出力インターフェース１８０５を介して出力デバイスを使用するように構成されてもよい。出力デバイスは、入力デバイスと同じタイプのインターフェースポートを使用してもよい。例えば、ＵＥ  １８００に対する入出力を提供するのに、ＵＳＢポートが使用されてもよい。出力デバイスは、スピーカー、サウンドカード、ビデオカード、ディスプレイ、モニタ、プリンタ、アクチュエータ、エミッタ、スマートカード、別の出力デバイス、またはそれらの任意の組み合わせであってもよい。ＵＥ  １８００は、入出力インターフェース１８０５を介して入力デバイスを使用して、ユーザがＵＥ  １８００への情報を捕捉することを可能にするように構成されてもよい。入力デバイスは、タッチセンサ式または存在センサ式ディスプレイ、カメラ（例えば、デジタルカメラ、デジタルビデオカメラ、ウェブカメラなど）、マイクロフォン、センサ、マウス、トラックボール、指向性パッド、トラックパッド、スクロールホイール、スマートカードなどを含んでもよい。存在センサ式ディスプレイは、ユーザからの入力を感知する、容量性または抵抗性タッチセンサを含んでもよい。センサは、例えば、加速度計、ジャイロスコープ、傾きセンサ、力センサ、磁力計、光学センサ、近接センサ、別の同様のセンサ、またはそれらの任意の組み合わせであってもよい。例えば、入力デバイスは、加速度計、磁力計、デジタルカメラ、マイクロフォン、および光学センサであってもよい。
【０１０３】
図１８では、ＲＦインターフェース１８０９は、通信インターフェースを、送信機、受信機、およびアンテナなどのＲＦ構成要素に提供するように構成されてもよい。ネットワーク接続インターフェース１８１１は、通信インターフェースをネットワーク１８４３ａに提供するように構成されてもよい。ネットワーク１８４３ａは、ローカルエリアネットワーク（ＬＡＮ）、広域ネットワーク（ＷＡＮ）、コンピュータネットワーク、無線ネットワーク、電気通信ネットワーク、他の類似のネットワーク、またはそれらの任意の組み合わせなど、有線および／または無線ネットワークを包含してもよい。例えば、ネットワーク１８４３ａはＷｉＦｉネットワークを含んでもよい。ネットワーク接続インターフェース１８１１は、イーサネット、ＴＣＰ／ＩＰ、ＳＯＮＥＴ、ＡＴＭなど、１つまたは複数の通信プロトコルにしたがって、通信ネットワークを通じて１つもしくは複数の他のデバイスと通信するのに使用される、受信機および送信機インターフェースを含むように構成されてもよい。ネットワーク接続インターフェース１８１１は、通信ネットワークリンク（例えば、光学、電気など）に適切な受信機および送信機の機能性を実現してもよい。送信機および受信機機能は、回路構成要素、ソフトウェア、もしくはファームウェアを共有してもよく、あるいは別個に実現されてもよい。
【０１０４】
ＲＡＭ  １８１７は、バス１８０２を介して処理回路構成１８０１にインターフェース接続して、オペレーティングシステム、アプリケーションプログラム、およびデバイスドライバなどのソフトウェアプログラムを実行する間、データまたはコンピュータ命令を格納またはキャッシングするように構成されてもよい。ＲＯＭ  １８１９は、コンピュータ命令またはデータを処理回路構成１８０１に提供するように構成されてもよい。例えば、ＲＯＭ  １８１９は、基本的入出力（Ｉ／Ｏ）、起動、または不揮発性メモリに格納されたキーボードからのキーストロークの受信など、基本的なシステム機能に対する不変の低レベルシステムコードまたはデータを格納するように構成されてもよい。記憶媒体１８２１は、ＲＡＭ、ＲＯＭ、プログラマブル読出し専用メモリ（ＰＲＯＭ）、消去可能プログラマブル読出し専用メモリ（ＥＰＲＯＭ）、電気的消去可能プログラマブル読出し専用メモリ（ＥＥＰＲＯＭ）、磁気ディスク、光学ディスク、フロッピーディスク、ハードディスク、取外し可能カートリッジ、またはフラッシュドライブなどのメモリを含むように構成されてもよい。一例では、記憶媒体１８２１は、オペレーティングシステム１８２３、ウェブブラウザアプリケーションなどのアプリケーションプログラム１８２５、ウィジェットもしくはガジェットエンジンまたは別のアプリケーション、およびデータファイル１８２７を含むように構成されてもよい。記憶媒体１８２１は、ＵＥ  １８００が使用するため、多種多様の様々なオペレーティングシステムまたはオペレーティングシステムの組み合わせのいずれかを格納してもよい。
【０１０５】
記憶媒体１８２１は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光学ディスクドライブ、内部ハードディスクドライブ、ブルーレイ光学ディスクドライブ、ホログラフィックデジタルデータストーレージ（ＨＤＤＳ）光学ディスクドライブ、外部ミニデュアルインラインメモリモジュール（ＤＩＭＭ），同期式動的ランダムアクセスメモリ（ＳＤＲＡＭ）、外部マイクロＤＩＭＭ  ＳＤＲＡＭ、スマートカードメモリ（加入者識別モジュールもしくはリムーバブルユーザ識別（ＳＩＭ／ＲＵＩＭ）モジュール）、他のメモリ、またはそれらの任意の組み合わせなど、多数の物理的ドライブユニットを含むように構成されてもよい。記憶媒体１８２１によって、ＵＥ  １８００が、一時的もしくは非一時的メモリ媒体に格納された、コンピュータ実行可能命令、アプリケーションプログラムなどにアクセスするか、データをオフロードするか、またはデータをアップロードすることが可能になってもよい。通信システムを利用するものなどの製品は、デバイス可読媒体を含んでもよい、記憶媒体１８２１の形で有形的に具体化されてもよい。
【０１０６】
図１８では、処理回路構成１８０１は、通信サブシステム１８３１を使用してネットワーク１８４３ｂと通信するように構成されてもよい。ネットワーク１８４３ａおよびネットワーク１８４３ｂは、同じネットワークまたは異なるネットワークであってもよい。通信サブシステム１８３１は、ネットワーク１８４３ｂと通信するのに使用される１つまたは複数の送受信機を含むように構成されてもよい。例えば、通信サブシステム１８３１は、ＩＥＥＥ  ８０２．５、ＣＤＭＡ、ＷＣＤＭＡ、ＧＳＭ、ＬＴＥ、ＵＴＲＡＮ、ＷｉＭａｘなどの１つまたは複数の通信プロトコルにしたがって、別のＷＤ、ＵＥ、または無線アクセスネットワーク（ＲＡＮ）の基地局など、無線通信することができる別のデバイスの１つまたは複数のリモート送受信機と通信するのに使用される、１つまたは複数の送受信機を含むように構成されてもよい。各送受信機は、ＲＡＮリンクに適した送信機または受信機の機能性（例えば、周波数割当てなど）をそれぞれ実現する、送信機１８３３および／または受信機１８３５を含んでもよい。更に、各送受信機の送信機１８３３および受信機１８３５は、回路構成要素、ソフトウェア、もしくはファームウェアを共有してもよく、あるいは別個に実現されてもよい。
【０１０７】
図示される実施形態では、通信サブシステム１８３１の通信機能は、データ通信、音声通信、マルチメディア通信、ブルートゥースなどの近距離通信、近接場通信、位置を決定するのに全地球測位システム（ＧＰＳ）を使用するものなどの位置依存型通信、別の類似の通信機能、またはそれらの任意の組み合わせを含んでもよい。例えば、通信サブシステム１８３１は、セルラー通信、ＷｉＦｉ通信、ブルートゥース通信、およびＧＰＳ通信を含んでもよい。ネットワーク１８４３ｂは、ローカルエリアネットワーク（ＬＡＮ）、広域ネットワーク（ＷＡＮ）、コンピュータネットワーク、無線ネットワーク、電気通信ネットワーク、別の類似のネットワーク、またはそれらの任意の組み合わせなど、有線および／または無線ネットワークを包含してもよい。例えば、ネットワーク１８４３ｂは、セルラーネットワーク、ＷｉＦｉネットワーク、および／または近接場ネットワークであってもよい。電源１８１３は、交流（ＡＣ）または直流（ＤＣ）電力をＵＥ  １８００の構成要素に提供するように構成されてもよい。
【０１０８】
本明細書に記載する特徴、利益、および／または機能は、ＵＥ  １８００の構成要素の１つで実現されてもよく、またはＵＥ  １８００の複数の構成要素にわたって分割されてもよい。更に、本明細書に記載する特徴、利益、および／または機能は、ハードウェア、ソフトウェア、またはファームウェアの任意の組み合わせで実現されてもよい。一例では、通信サブシステム１８３１は、本明細書に記載する構成要素のいずれかを含むように構成されてもよい。更に、処理回路構成１８０１は、バス１８０２を通じてかかる構成要素のいずれかと通信するように構成されてもよい。別の例では、かかる構成要素のいずれかは、処理回路構成１８０１によって実行されると、本明細書に記載される対応する機能を実施する、メモリに格納されたプログラム命令によって表されてもよい。別の例では、かかる構成要素のいずれかの機能性は、処理回路構成１８０１と通信サブシステム１８３１との間で分割されてもよい。別の例では、かかる構成要素のいずれかの非コンピュータ集約的機能は、ソフトウェアまたはファームウェアの形で実現されてもよく、コンピュータ集約的機能はハードウェアの形で実現されてもよい。
【０１０９】
図１９は、特定の実施形態による、仮想化環境の一例を示している。図１９は、いくつかの実施形態によって実現される機能が仮想化されてもよい、仮想化環境１９００を示す概略ブロック図である。この文脈では、仮想化とは、ハードウェアプラットフォーム、記憶デバイス、およびネットワーキングリソースを仮想化することを含んでもよい、装置またはデバイスを仮想化したものを作成することを意味する。本明細書で使用するとき、仮想化は、ノード（例えば、仮想化基地局もしくは仮想化無線アクセスノード）、あるいはデバイス（例えば、ＵＥ、無線デバイス、もしくは他の任意のタイプの通信デバイス）またはその構成要素に適用することができ、機能性の少なくとも一部分が（例えば、１つまたは複数のネットワークにおいて１つまたは複数の物理的処理ノードで実行する、１つもしくは複数のアプリケーション、コンポーネント、機能、仮想機械、またはコンテナを介して）１つまたは複数の仮想構成要素として実現される実現例に関する。
【０１１０】
いくつかの実施形態では、本明細書に記載する機能の一部または全ては、１つまたは複数のハードウェアノード１９３０がホストする１つまたは複数の仮想環境１９００において実現される、１つまたは複数の仮想機械によって実行される仮想構成要素として実現されてもよい。更に、仮想ノードが無線アクセスノードではなく、無線接続性（例えば、コアネットワークノード）を要しない実施形態では、ネットワークノードは全体的に仮想化されてもよい。
【０１１１】
機能は、本明細書に開示する実施形態のうちいくつかの特徴、機能、および／または利益の一部を実現するように動作する、１つまたは複数のアプリケーション１９２０（あるいは、ソフトウェアインスタンス、仮想アプライアンス、ネットワーク機能、仮想ノード、仮想ネットワーク機能などと呼ばれることがある）によって実現されてもよい。アプリケーション１９２０は、処理回路構成１９６０およびメモリ１９９０を備えるハードウェア１９３０を提供する仮想化環境１９００で稼動する。メモリ１９９０は、処理回路構成１９６０によって実行可能な命令１９９５を含み、それによってアプリケーション１９０２０は、本明細書に開示する特徴、利益、および／または機能の１つもしくは複数を提供するように動作する。
【０１１２】
仮想化環境１９００は、商用オフザシェルフ（ＣＯＴＳ）プロセッサ、専用特定用途向け集積回路（ＡＳＩＣ）、あるいはデジタルもしくはアナログハードウェア構成要素または専用プロセッサを含む他の任意のタイプの処理回路構成であってもよい、１つもしくは複数のプロセッサまたは処理回路構成１９６０のセットを備える、汎用または専用ネットワークハードウェアデバイス１９３０を備える。各ハードウェアデバイスは、処理回路構成１９６０によって実行される命令１９９５またはソフトウェアを一時的に格納する非永続的メモリであってもよい、メモリ１９９０−１を備えてもよい。各ハードウェアデバイスは、物理的ネットワークインターフェース１９８０を含む、ネットワークインターフェースカードとしても知られる、１つまたは複数のネットワークインターフェースコントローラ（ＮＩＣ）１９７０を備えてもよい。各ハードウェアデバイスはまた、処理回路構成１９６０によって実行可能なソフトウェア１９９５および／または命令が格納された、非一時的な永続的機械可読記憶媒体１９９０−２を含んでもよい。ソフトウェア１９９５は、１つまたは複数の仮想化レイヤ１９５０（ハイパーバイザーとも呼ばれる）をインスタンス化するソフトウェア、仮想機械１９４０を実行するソフトウェア、ならびに本明細書に記載するいくつかの実施形態に関連して記載される機能、特徴、および／または利益を実行することを可能にするソフトウェアを含む、任意のタイプのソフトウェアを含んでもよい。
【０１１３】
仮想機械１９４０は、仮想処理、仮想メモリ、仮想ネットワーキングまたはインターフェース、および仮想記憶装置を含み、対応する仮想化レイヤ１９５０またはハイパーバイザーによって稼動してもよい。仮想アプライアンス１９２０のインスタンスの異なる実施形態は、仮想機械１９４０の１つまたは複数で実現されてもよく、実現は異なる形で行われてもよい。
【０１１４】
動作中、処理回路構成１９６０は、場合によっては仮想機械モニタ（ＶＭＭ）と呼ばれることがある、ハイパーバイザーまたは仮想化レイヤ１９５０をインスタンス化するソフトウェア１９９５を実行する。仮想化レイヤ１９５０は、仮想機械１９４０に対するネットワーキングハードウェアのように見える、仮想オペレーティングプラットフォームを提供してもよい。
【０１１５】
図１９に示されるように、ハードウェア１９３０は、一般または特定構成要素を備えた独立型ネットワークノードであってもよい。ハードウェア１９３０は、アンテナ１９２２５を備えてもよく、仮想化によって一部の機能を実現してもよい。あるいは、ハードウェア１９３０は、多くのハードウェアノードが共に働き、中でも特にアプリケーション１９２０のライフサイクル管理を監督する、管理およびオーケストレーション（ＭＡＮＯ）１９１００を介して管理される、ハードウェアの（例えば、データセンタもしくはカスタマー構内設備（ＣＰＥ）における）より大きいクラスタの一部であってもよい。
【０１１６】
ハードウェアの仮想化は、文脈によっては、ネットワーク機能仮想化（ＮＦＶ）と呼ばれる。ＮＦＶは、多くのネットワーク機器タイプを、業界標準の大容量サーバハードウェア、物理的スイッチ、ならびにデータセンタおよびカスタマー構内設備に位置することができる物理的記憶装置上へと統合するのに使用されてもよい。
【０１１７】
ＮＦＶの文脈では、仮想機械１９４０は、物理的な非仮想化機械で実行しているかのようにプログラムを走らせる、物理的機械のソフトウェア実現例であってもよい。各仮想機械１９４０、およびその仮想機械を実行するハードウェア１９３０の部分は、その仮想機械専用のハードウェアであり、ならびに／あるいはその仮想機械と他の仮想機械１９４０とで共有されるハードウェアは、別個の仮想ネットワーク要素（ＶＮＥ）を形成する。
【０１１８】
やはりＮＦＶの文脈では、仮想ネットワーク機能（ＶＮＦ）は、ハードウェアネットワーキングインフラストラクチャ１９３０の最上位にある１つまたは複数の仮想機械１９４０で稼動する特定のネットワーク機能の取り扱いに関与し、図１９のアプリケーション１９２０に相当する。
【０１１９】
いくつかの実施形態では、１つまたは複数の送信機１９２２０および１つまたは複数の受信機１９２１０をそれぞれ含む、１つまたは複数の無線ユニット１９２００は、１つまたは複数のアンテナ１９２２５に結合されてもよい。無線ユニット１９２００は、１つまたは複数の適切なネットワークインターフェースを介してハードウェアノード１９３０と直接通信してもよく、仮想ノードに無線アクセスノードまたは基地局などの無線能力を提供する、仮想構成要素との組み合わせで使用されてもよい。
【０１２０】
いくつかの実施形態では、一部のシグナリングは、ハードウェアノード１９３０と無線ユニット１９２００との間の通信に代わりに使用されてもよい、制御システム１９２３０を使用することによって実施することができる。
【０１２１】
図２０は、いくつかの実施形態による、中間ネットワークを介してホストコンピュータに接続される電気通信ネットワークの一例を示している。図２０を参照すると、一実施形態によれば、通信システムは、無線アクセスネットワークなどのアクセスネットワーク２０１１とコアネットワーク２０１４とを含む、３ＧＰＰタイプのセルラーネットワークなどの電気通信ネットワーク２０１０を含む。アクセスネットワーク２０１１は、対応するカバレッジエリア２０１３ａ、２０１３ｂ、２０１３ｃをそれぞれ規定する、ＮＢ、ｅＮＢ、ｇＮＢ、または他のタイプの無線アクセスポイントなど、複数の基地局２０１２ａ、２０１２ｂ、２０１２ｃを備える。各基地局２０１２ａ、２０１２ｂ、２０１２ｃは、有線または無線接続２０１５を通じてコアネットワーク２０１４に接続可能である。カバレッジエリア２０１３ｃに位置する第１のＵＥ  ２０９１は、対応する基地局２０１２ｃに無線接続するように、またはそれによってページングされるように構成される。カバレッジエリア２０１３ａの第２のＵＥ  ２０９２は、対応する基地局２０１２ａに無線接続可能である。この例では複数のＵＥ  ２０９１、２０９２が示されているが、開示される実施形態は、単一のＵＥがカバレッジエリアにあるか、または単一のＵＥが対応する基地局２０１２に接続している状況に等しく適用可能である。
【０１２２】
電気通信ネットワーク２０１０自体は、スタンドアロンサーバ、クラウド実装サーバ、分散サーバのハードウェアおよび／またはソフトウェアの形で、あるいはサーバファームの処理リソースとして具体化されてもよい、ホストコンピュータ２０３０に接続される。ホストコンピュータ２０３０は、サービスプロバイダの所有もしくは制御下にあってもよく、またはサービスプロバイダによって、もしくはサービスプロバイダに代わって操作されてもよい。電気通信ネットワーク２０１０とホストコンピュータ２０３０との間の接続２０２１および２０２２は、コアネットワーク２０１４からホストコンピュータ２０３０まで直接延在してもよく、または任意の中間ネットワーク２０２０を介して通ってもよい。中間ネットワーク２０２０は、公衆、私設、もしくはホストされたネットワークの１つ、または１つを超えるものの組み合わせであってもよく、中間ネットワーク２０２０がある場合、バックボーンネットワークまたはインターネットであってもよく、中間ネットワーク２０２０は、２つ以上のサブネットワーク（図示なし）を含んでもよい。
【０１２３】
図２０の通信システム全体は、接続されたＵＥ  ２０９１、２０９２とホストコンピュータ２０３０との間の接続性を可能にする。接続性は、オーバーザトップ（ＯＴＴ）接続２０５０として説明されてもよい。ホストコンピュータ２０３０および接続されたＵＥ  ２０９１、２０９２は、アクセスネットワーク２０１１、コアネットワーク２０１４、任意の中間ネットワーク２０２０、および場合によっては仲介物としての更なるインフラストラクチャ（図示なし）を使用して、ＯＴＴ接続２０５０を介してデータおよび／またはシグナリングを通信するように構成される。ＯＴＴ接続２０５０は、ＯＴＴ接続２０５０が通っている関与する通信デバイスが、アップリンクおよびダウンリンク通信の経路指定を意識していないという意味で透過である。例えば、基地局２０１２は、ホストコンピュータ２０３０からのデータが接続されたＵＥ  ２０９１に転送される（例えば、ハンドオーバーされる）、入ってくる通信の過去の経路指定に関して通知されなくてもよいか、または通知される必要がない。同様に、基地局２０１２は、ＵＥ  ２０９１からホストコンピュータ２０３０に向かう、出て行くアップリンク通信の今後の経路指定を意識する必要はない。
【０１２４】
図２１は、いくつかの実施形態による、部分無線接続を通じて基地局を介してユーザ機器と通信しているホストコンピュータの一例を示している。次に、一実施形態による、上述のパラグラフで考察したＵＥ、基地局およびホストコンピュータの例示の実現例について、図２１を参照して記載する。通信システム２１００では、ホストコンピュータ２１１０は、通信システム２１００の異なる通信デバイスのインターフェースとの有線または無線接続を設定し維持するように構成された、通信インターフェース２１１６を含むハードウェア２１１５を備える。ホストコンピュータ２１１０は、記憶および／または処理能力を有してもよい、処理回路構成２１１８を更に備える。特に、処理回路構成２１１８は、１つもしくは複数のプラグラマブルプロセッサ、特定用途向け集積回路、フィールドプログラマブルゲートアレイ、または命令を実行するように適合されたこれらの組み合わせ（図示なし）を含んでもよい。ホストコンピュータ２１１０は、ホストコンピュータ２１１０に格納されるかそれによってアクセス可能であり、処理回路構成２１１８によって実行可能である、ソフトウェア２１１１を更に備える。ソフトウェア２１１１はホストアプリケーション２１１２を含む。ホストアプリケーション２１１２は、ＵＥ  ２１３０およびホストコンピュータ２１１０で終端するＯＴＴ接続２１５０を介して接続するＵＥ  ２１３０などのリモートユーザに、サービスを提供するように動作可能であってもよい。サービスをリモートユーザに提供する際、ホストアプリケーション２１１２は、ＯＴＴ接続２１５０を使用して送信されるユーザデータを提供してもよい。
【０１２５】
通信システム２１００は、電気通信システムに提供され、ホストコンピュータ２１１０およびＵＥ  ２１３０と通信できるようにするハードウェア２１２５を備える、基地局２１２０を更に含む。ハードウェア２１２５は、通信システム２１００の異なる通信デバイスのインターフェースとの有線または無線接続を設定し維持する通信インターフェース２１２６、ならびに基地局２１２０がサーブするカバレッジエリア（図２１には図示なし）に位置するＵＥ  ２１３０との少なくとも無線接続２１７０を設定し維持する無線インターフェース２１２７を含んでもよい。通信インターフェース２１２６は、ホストコンピュータ２１１０への接続２１６０を容易にするように構成されてもよい。接続２１６０は、直接であってもよく、または電気通信システムのコアネットワーク（図２１には図示なし）、および／または電気通信システム外の１つもしくは複数の中間ネットワークを通過してもよい。図示される実施形態では、基地局２１２０のハードウェア２１２５は、１つもしくは複数のプログラマブルプロセッサ、特定用途向け集積回路、フィールドプログラマブルゲートアレイ、または命令を実行するように適合されたこれらの組み合わせ（図示なし）を含んでもよい、処理回路構成２１２８を更に含む。基地局２１２０は、内部に格納されるか、または外部接続を介してアクセス可能な、ソフトウェア２１２１を更に有する。
【０１２６】
通信システム２１００は、既に言及したＵＥ  ２１３０を更に含む。特定の実施形態では、ＵＥ  ２１３０は、図１８に関して記載するようなユーザ機器であってもよい。ＵＥ  ２１３０のハードウェア２１３５は、ＵＥ  ２１３０が現在位置しているカバレッジエリアにサーブする基地局との無線接続２１７０をセットアップし維持するように設定された、無線インターフェース２１３７を含んでもよい。ＵＥ  ２１３０のハードウェア２１３５は、１つもしくは複数のプログラマブルプロセッサ、特定用途向け集積回路、フィールドプログラマブルゲートアレイ、または命令を実行するように適合されたこれらの組み合わせ（図示なし）を含んでもよい、処理回路構成２１３８を更に含む。ＵＥ  ２１３０は、ＵＥ  ２１３０に格納されるかＵＥ  ２１３０によってアクセス可能であり、処理回路構成２１３８によって実行可能である、ソフトウェア２１３１を更に含む。ソフトウェア２１３１はクライアントアプリケーション２１３２を含む。クライアントアプリケーション２１３２は、ホストコンピュータ２１１０が対応することにより、ＵＥ  ２１３０を介して人間または人間以外のユーザにサービスを提供するように動作可能であってもよい。ホストコンピュータ２１１０では、実行中のホストアプリケーション２１１２は、ＵＥ  ２１３０およびホストコンピュータ２１１０で終端するＯＴＴ接続２１５０を介して、実行中のクライアントアプリケーション２１３２と通信してもよい。サービスをユーザに提供する際、クライアントアプリケーション２１３２は、要求データをホストアプリケーション２１１２から受信し、要求データに応答してユーザデータを提供してもよい。ＯＴＴ接続２１５０は、要求データおよびユーザデータの両方を転送してもよい。クライアントアプリケーション２１３２は、ユーザと相互作用して、提供するユーザデータを生成してもよい。
【０１２７】
図２１に示されるホストコンピュータ２１１０、基地局２１２０、およびＵＥ  ２１３０はそれぞれ、図２０のホストコンピュータ２０３０、基地局２０１２ａ、２０１２ｂ、２０１２ｃの１つ、およびＵＥ  ２０９１、２０９２の１つと同様または同一であってもよいことが注目される。つまり、これらのエンティティの内部仕事は図２１に示されるようなものであってもよく、また独立して、周囲のネットワークトポロジーは図２０のものであってもよい。
【０１２８】
図２１では、ＯＴＴ接続２１５０は、仲介デバイスおよびそれらのデバイスを介したメッセージの正確な経路指定に明示的に言及することなく、基地局２１２０を介したホストコンピュータ２１１０とＵＥ  ２１３０との間の通信を示すため、抽象的に描かれている。ネットワークインフラストラクチャは、ＵＥ  ２１３０から、またはホストコンピュータ２１１０を動作させるサービスプロバイダから、または両方から隠れるように構成されてもよい、経路指定を決定してもよい。ＯＴＴ接続２１５０がアクティブである間、ネットワークインフラストラクチャは更に、（例えば、ネットワークのロードバランシングの考慮または再構成に基づいて）経路指定を動的に変更する決定を行ってもよい。
【０１２９】
ＵＥ  ２１３０と基地局２１２０との間の無線接続２１７０は、本開示を通して記載される実施形態の教示にしたがっている。様々な実施形態の１つまたは複数は、無線接続２１７０が最後のセグメントを形成するＯＴＴ接続２１５０を使用してＵＥ  ２１３０に提供される、ＯＴＴサービスの性能を改善する。より正確には、これらの実施形態の教示は、送信バッファにおける冗長データの処理を改善し、それによって、無線リソース使用の効率改善（例えば、冗長データを送信しない）、ならびに新しいデータの受信における遅延の低減（例えば、バッファの冗長データを除去することによって、新しいデータをより早く送信することができる）などの利益を提供してもよい。
【０１３０】
測定手順は、データ転送率、レイテンシ、および１つまたは複数の実施形態を改善する際の他の因子を監視する目的のために提供されてもよい。更に、測定結果の変動に応答して、ホストコンピュータ２１１０とＵＥ  ２１３０との間でＯＴＴ接続２１５０を再構成する任意のネットワーク機能性があってもよい。測定手順、および／またはＯＴＴ接続２１５０を再構成するネットワーク機能性は、ホストコンピュータ２１１０のソフトウェア２１１１およびハードウェア２１１５の形、またはＵＥ  ２１３０のソフトウェア２１３１およびハードウェア２１３５の形で、または両方で実現されてもよい。実施形態では、センサ（図示なし）は、ＯＴＴ接続２１５０が通過する通信デバイスにおいて、またはそれと関連して展開されてもよく、センサは、上記に例示した監視量の値を供給することによって、または監視量を計算もしくは推定するのにソフトウェア２１１１、２１３１が用いる他の物理的量の値を供給することによって、測定手順に関与してもよい。ＯＴＴ接続２１５０の再構成は、メッセージ形式、再送信設定、好ましい経路指定などを含んでもよく、再構成は、基地局２１２０に必ずしも影響を及ぼさなくてもよく、基地局２１２０にとって未知または認識不能であってもよい。かかる手順および機能性は、当該分野において知られており実践されていることがある。特定の実施形態では、測定には、ホストコンピュータ２１１０がスループット、伝播時間、レイテンシなどを測定するのを容易にする、所有ＵＥシグナリングが関与してもよい。測定は、伝播時間、エラーなどを監視している状態のＯＴＴ接続２１５０を使用して、ソフトウェア２１１１および２１３１によってメッセージが、特に空または「ダミー」メッセージが送信されるという点で実現されてもよい。
【０１３１】
図２２は、特定の実施形態による、ホストコンピュータ、基地局、およびユーザ機器を含む通信システムにおいて実現される方法の一例を示している。より具体的には、図２２は、一実施形態による、通信システムにおいて実現される方法を示すフローチャートである。通信システムは、ホストコンピュータ、基地局、および図１８を参照して記載したユーザ機器であってもよいＵＥを含む。本開示を簡潔にするため、図２２に対する参照のみを本セクションに含める。ステップ２２１０で、ホストコンピュータはユーザデータを提供する。ステップ２２１０のサブステップ２２１１（任意であってもよい）で、ホストコンピュータは、ホストアプリケーションを実行することによってユーザデータを提供する。ステップ２２２０で、ホストコンピュータは、ユーザデータをＵＥに伝達する送信を開始する。ステップ２２３０（任意であってもよい）で、基地局は、本開示全体を通して記載する実施形態の教示にしたがって、ホストコンピュータが開始した送信によって伝達されたユーザデータをＵＥに送信する。ステップ２２４０（やはり任意であってもよい）で、ＵＥは、ホストコンピュータが実行したホストアプリケーションと関連付けられたクライアントアプリケーションを実行する。
【０１３２】
図２３は、いくつかの実施形態による、ホストコンピュータ、基地局、およびユーザ機器を含む通信システムにおいて実現される方法の一例を示している。より具体的には、図２３は、一実施形態による、通信システムにおいて実現される方法を示すフローチャートである。通信システムは、ホストコンピュータ、基地局、および図１８を参照して記載したユーザ機器であってもよい、ユーザ機器を含む。本開示を簡潔にするため、図２３に対する参照のみを本セクションに含める。方法のステップ２３１０で、ホストコンピュータはユーザデータを提供する。任意のサブステップ（図示なし）で、ホストコンピュータは、ホストアプリケーションを実行することによってユーザデータを提供する。ステップ２３２０で、ホストコンピュータは、ユーザデータをＵＥに伝達する送信を開始する。本開示を通して記載される実施形態の教示にしたがって、送信は基地局を介してもよい。ステップ２３３０（任意であってもよい）で、ＵＥは送信で伝達されるユーザデータを受信する。
【０１３３】
図２４は、いくつかの実施形態による、ホストコンピュータ、基地局、およびユーザ機器を含む通信システムにおいて実現される方法の別の更なる一例を示している。より具体的には、図２４は、一実施形態による、通信システムにおいて実現される方法を示すフローチャートである。通信システムは、ホストコンピュータ、基地局、および図１８を参照して記載したユーザ機器であってもよい、ユーザ機器を含む。本開示を簡潔にするため、図２４に対する参照のみを本セクションに含める。ステップ２４１０（任意であってもよい）で、ＵＥはホストコンピュータによって提供される入力データを受信する。それに加えて、またはその代わりに、ステップ２４２０で、ＵＥはユーザデータを提供する。ステップ２４２０のサブステップ２４２１（任意であってもよい）で、ＵＥは、クライアントアプリケーションを実行することによってユーザデータを提供する。ステップ２４１０のサブステップ２４１１（任意であってもよい）で、ＵＥは、ホストコンピュータが提供した受信入力データに反応してユーザデータを提供する、クライアントアプリケーションを実行する。ユーザデータを提供する際、実行されたクライアントアプリケーションは、ユーザから受信するユーザ入力を更に考慮してもよい。ユーザデータが提供された特定の方式にかかわらず、ＵＥは、サブステップ２４３０（任意であってもよい）で、ホストコンピュータへのユーザデータの送信を開始する。方法のステップ２４４０で、ホストコンピュータは、本開示を通して記載される実施形態の教示にしたがって、ＵＥから送信されたユーザデータを受信する。
【０１３４】
図２５は、いくつかの実施形態による、ホストコンピュータ、基地局、およびユーザ機器を含む通信システムにおいて実現される方法の別の一例を示している。より具体的には、図２５は、一実施形態による、通信システムにおいて実現される方法を示すフローチャートである。通信システムは、ホストコンピュータ、基地局、およびＵＥを含む。本開示を簡潔にするため、図２５に対する参照のみを本セクションに含める。ステップ２５１０（任意であってもよい）で、本開示を通して記載される実施形態の教示にしたがって、基地局はユーザデータをＵＥから受信する。ステップ２５２０（任意であってもよい）で、基地局は、ホストコンピュータに対する受信したユーザデータの送信を開始する。ステップ２５３０（任意であってもよい）で、ホストコンピュータは、基地局が開始した送信で伝達されるユーザデータを受信する。
【０１３５】
本明細書に開示する任意の適切なステップ、方法、特徴、機能、または利益は、１つまたは複数の仮想装置の１つまたは複数の機能的ユニットまたはモジュールによって実施されてもよい。各仮想装置は多数のこれらの機能的ユニットを備えてもよい。これらの機能的ユニットは、１つもしくは複数のマイクロプロセッサまたはマイクロコントローラを含んでもよい処理回路構成、ならびにデジタル信号プロセッサ（ＤＳＰ）、専用デジタル論理などを含んでもよい、他のデジタルハードウェアによって実現されてもよい。処理回路構成は、読出し専用メモリ（ＲＯＭ）、ランダムアクセスメモリ（ＲＡＭ）、キャッシュメモリ、フラッシュメモリドライブ、光学記憶デバイスなど、１つまたは複数のタイプのメモリを含んでもよい、メモリに格納されたプログラムコードを実行するように構成されてもよい。メモリに格納されたプログラムコードとしては、１つもしくは複数の電気通信および／またはデータ通信プロトコルを実行するプログラム命令、ならびに本明細書に記載される技術の１つもしくは複数を実施する命令が挙げられる。いくつかの実現例では、処理回路構成は、本開示の１つまたは複数の実施形態による対応する機能をそれぞれの機能的ユニットに実施させるのに使用されてもよい。
【０１３６】
図２６は、特定の実施形態による、ネットワークノードで実施される別の一例の方法のフロー図である。方法２６００は、ステップ２６１０で始まり、第１のネットワークノードが、第１の指示および第２の指示を含むシステム情報ブロックを受信する。いくつかの実施形態では、第１の指示は、第１のセルが非スタンドアロンセルであることを示すとともに、スタンドアロンＵＥが第１のセルにアクセスすることを制限されているか否かを示してもよい。いくつかの実施形態では、第２の指示は、第１のネットワークノードのタイプが第１のセルにアクセスすることができるか否かを示してもよい。いくつかの実施形態では、システム情報ブロックは、スタンドアロンＵＥのユーザ機器が第１のセルにアクセスすることができることを示す、第３の指示を更に含んでもよい。いくつかの実施形態では、方法２６００は、第２のシステム情報ブロックを受信することを更に含んでもよく、第２のシステム情報ブロックは、スタンドアロン動作に使用され、第１のセルのタイプに第１のネットワークノードがアクセスすることが許可された場合、第１のネットワークノードのタイプによってのみ読み取られる。
【０１３７】
ステップ２６２０で、方法２６００は、システム情報ブロックの第２の指示に基づいて、第１のネットワークノードのタイプが第１のセルにアクセスすることができるか否かを識別することを含んでもよい。いくつかの実施形態では、第１のネットワークノードは、第２の指示が、第１のセルは確保されるが第１のネットワークノードのタイプに対しては確保されないことを示した場合、第１のセルにアクセスすることができてもよい。いくつかの実施形態では、第１のネットワークノードは、第２の指示が、第１のセルは確保されるが第１のネットワークノードのタイプを許可するようにセットされることを示した場合、第１のセルにアクセスすることができる。いくつかの実施形態では、第１の指示は、設定されるかまたは存在するｒｅｓｅｒｖｅｄＮＲ−Ｃｅｌｌであってもよく、第２の指示は、ＲｅｓｅｒｖｅｄＮＲ−ＣｅｌｌＥｘｅｐｔｉｏｎｓであってもよい。いくつかの実施形態では、第１のネットワークノードは、第２の指示が、第１のネットワークノードのタイプが第１のセルにアクセスすることができることを示すセルアクセスリストを含む場合、第１のセルにアクセスすることができてもよい。いくつかの実施形態では、第１の指示は、設定されるかまたは存在するｒｅｓｅｒｖｅｄＮＲ−Ｃｅｌｌであってもよく、セルアクセスリストは、ｃｅｌｌＡｃｃｅｓｓＲｅｌａｔｅｄＩｎｆｏＬｉｓｔに含まれてもよい。いくつかの実施形態では、第１のネットワークノードは、第２の指示が、第１のネットワークノードのタイプに関する制限値を含まない場合、第１のセルにアクセスすることができる。
【０１３８】
ステップ２６３０で、方法２６００は、システム情報ブロックの第２の指示に基づいて、第１のネットワークノードのタイプが第１のセルにアクセスできることの識別に応答して、スタンドアロン動作を介して第１のセルにアクセスするランダムアクセス手順を実施することを含んでもよい。
【０１３９】
図２７は、特定の実施形態による、無線ネットワークにおける例示のネットワークノード２７００の概略ブロック図である。いくつかの実施形態では、無線ネットワークは、図１６に示される無線ネットワーク１６０６であってもよい。ネットワークノードは、無線デバイス（例えば、図１６に示される無線デバイス１６１０）で実現されてもよい。ネットワークノード２７００は、図２６を参照して記載される例示の方法、および場合によっては本明細書に開示される他の任意のプロセスまたは方法を実施するように動作可能である。また、図２６の方法は必ずしもネットワークノード２７００のみによって実施されなくてもよいことが理解されるべきである。方法の少なくともいくつかの動作は、１つまたは複数の他のエンティティによって実施することができる。
【０１４０】
ネットワークノード２７００は、１つもしくは複数のマイクロプロセッサまたはマイクロコントローラを含んでもよい、処理回路構成、ならびにデジタル信号プロセッサ（ＤＳＰ）、専用デジタル論理などを含んでもよい、他のデジタルハードウェアを備えてもよい。いくつかの実施形態では、ネットワークノード２７００の処理回路構成は、図１６に示される処理回路構成１６７０であってもよい。処理回路構成は、読出し専用メモリ（ＲＯＭ）、ランダムアクセスメモリ、キャッシュメモリ、フラッシュメモリデバイス、光学記憶デバイスなど、１つまたは複数のタイプのメモリを含んでもよい、メモリに格納されたプログラムコードを実行するように構成されてもよい。メモリに格納されたプログラムコードとしては、１つまたは複数の電気通信および／またはデータ通信プロトコルを実行するプログラム命令、ならびにいくつかの実施形態において本明細書に記載される技術の１つまたは複数を実施する命令が挙げられる。いくつかの実現例では、処理回路構成は、受信ユニット２７１０、識別ユニット２７２０、および実施ユニット２７３０、ならびにネットワークノード２７００の他の任意の適切なユニットに、受信機、および送信機など、本開示の１つまたは複数の実施形態による対応する機能を実施させるのに使用されてもよい。
【０１４１】
図２７に示されるように、ネットワークノード２７００は、受信ユニット２７１０と、識別ユニット２７２０と、実施ユニット２７３０とを含む。受信ユニット２７１０は、第１の指示および第２の指示を含むシステム情報ブロックを受信するように設定されてもよい。いくつかの実施形態では、第１の指示は、第１のセルが非スタンドアロンセルであることを示すとともに、スタンドアロンＵＥが第１のセルにアクセスすることを制限されているか否かを示してもよい。いくつかの実施形態では、第２の指示は、第１のネットワークノードのタイプが第１のセルにアクセスすることができるか否かを示してもよい。いくつかの実施形態では、システム情報ブロックは、スタンドアロンＵＥのユーザ機器が第１のセルにアクセスすることができることを示す、第３の指示を更に含んでもよい。いくつかの実施形態では、受信ユニット２７１０は、第２のシステム情報ブロックを受信することを更に含んでもよく、第２のシステム情報ブロックは、スタンドアロン動作に使用され、第１のセルに第１のネットワークノードのタイプがアクセスすることが許可された場合、第１のネットワークノードのタイプによってのみ読み取られる。
【０１４２】
識別ユニット２７２０は、システム情報ブロックの第２の指示に基づいて、第１のネットワークノードのタイプが第１のセルにアクセスすることができるか否かを識別するように設定されてもよい。いくつかの実施形態では、第１のネットワークノードは、第２の指示が、第１のセルは確保されるが第１のネットワークノードのタイプに対しては確保されないことを示した場合、第１のセルにアクセスすることができてもよい。いくつかの実施形態では、第１のネットワークノードは、第２の指示が、第１のセルは確保されるが第１のネットワークノードのタイプを許可するようにセットされることを示した場合、第１のセルにアクセスすることができる。いくつかの実施形態では、第１の指示は、設定されるかまたは存在するｒｅｓｅｒｖｅｄＮＲ−Ｃｅｌｌであってもよく、第２の指示は、ＲｅｓｅｒｖｅｄＮＲ−ＣｅｌｌＥｘｅｐｔｉｏｎｓであってもよい。いくつかの実施形態では、第１のネットワークノードは、第２の指示が、第１のネットワークノードのタイプが第１のセルにアクセスすることができることを示すセルアクセスリストを含む場合、第１のセルにアクセスすることができてもよい。いくつかの実施形態では、第１の指示は、設定されるかまたは存在するｒｅｓｅｒｖｅｄＮＲ−Ｃｅｌｌであってもよく、セルアクセスリストは、ｃｅｌｌＡｃｃｅｓｓＲｅｌａｔｅｄＩｎｆｏＬｉｓｔに含まれてもよい。いくつかの実施形態では、第１のネットワークノードは、第２の指示が、第１のネットワークノードのタイプに関する制限値を含まない場合、第１のセルにアクセスすることができる。
【０１４３】
実施ユニット２７３０は、システム情報ブロックの第２の指示に基づいて、第１のネットワークノードのタイプが第１のセルにアクセスできることの識別に応答して、スタンドアロン動作を介して第１のセルにアクセスするランダムアクセス手順を実施するように設定されてもよい。
【０１４４】
ユニットという用語は、エレクトロニクス、電気デバイス、および／または電子デバイスの分野における従来の意味を有してもよく、例えば、本明細書に記載されるような、それぞれのタスク、手順、計算、出力、および／または表示機能などを実施する、電気および／または電子回路構成、デバイス、モジュール、プロセッサ、受信機、送信機、メモリ、論理固体および／または離散的デバイス、コンピュータプログラムまたは命令を含んでもよい。
【０１４５】
様々な実施形態によれば、本明細書における特徴の利点は、全てのスタンドアロンＵＥが非スタンドアロンセルにアクセスするのを制限するが、中継ノードのみを許可することによって、中継ノードがスタンドアロン動作を使用して非スタンドアロンセルで動作できるようにすることで、マスタノードが中継ノードに対応するように特定の機能性を有する必要がなくなり、更に、ＥＮ−ＤＣのアクセスおよびバックホールリンク両方に対応することである。
【０１４６】
図面中のプロセスは、本発明の特定の実施形態によって実施される動作の特定の順序を示すことがあるが、かかる順序は例示である（例えば、代替実施形態は、異なる順序で動作を実施したり、特定の動作を組み合わせたり、特定の動作が重なったりなどしてもよい）ことが理解されるべきである。
【０１４７】
本発明についていくつかの実施形態に関して記載してきたが、当業者であれば、本発明は記載される実施形態に限定されず、添付の特許請求の範囲の趣旨および範囲内で、修正および変更を伴って実施できることを認識するであろう。したがって、本明細書は、限定ではなく例示と見なされるべきである。
【０１４８】
本明細書に開示するシステムおよび装置に対して、本発明の範囲から逸脱することなく、修正、追加、または省略が行われてもよい。システムおよび装置の構成要素は統合または分離されてもよい。更に、システムおよび装置の動作は、より多数、より少数、または他の構成要素によって実施されてもよい。それに加えて、システムおよび装置の動作は、ソフトウェア、ハードウェア、および／または他の論理を含む、任意の適切な論理を使用して実施されてもよい。本明細書で使用するとき、「各」は、セットの各々、またはセットのサブセットの各々を指す。
【０１４９】
本明細書に開示する方法に対して、本発明の範囲から逸脱することなく、修正、追加、または省略が行われてもよい。方法は、より多数、より少数、または他のステップを含んでもよい。それに加えて、ステップは任意の適切な順序で実施されてもよい。
【０１５０】
本開示について特定の実施形態に関連して記載してきたが、実施形態の変更および置換が当業者には明白となるであろう。したがって、実施形態の上述の説明は本開示を拘束するものではない。下記の特許請求の範囲によって定義されるような、本開示の趣旨および範囲から逸脱することなく、他の変化、代用、および変更が可能である。
【０１５１】
以下の例は、提案する解決策の特定の態様を特定の通信規格の枠組みの中でどのように実現できるかについて、非限定例を提供する。特に、以下の例は、提案する解決策を３ＧＰＰ  ＴＳＧ  ＲＡＮ規格の枠組みの中でどのように実現できるかについて、非限定例を提供する。記載する変更は、単に、提案する解決策の特定の態様を特定の規格においてどのように実現できるかを例証しようとするものである。しかしながら、提案する解決策は、３ＧＰＰ仕様で、また他の仕様または規格で、他の適切な方式で実現することもできる。
【０１５２】
統合アクセス・バックホールに関する検討事項は、従来の搬送ネットワークに接続された他のＮＲノード、即ちｇＮＢに対するＮＲ無線インターフェースを使用して自己バックホールされる、ＮＲノードおよびそれらのセル、例えば本開示のＩＡＢノードに対応することを目的とする。この寄与の目的は、スタンドアロンＮＲを使用するとき、ならびにアクセスおよび／またはバックホールリンクでＥＮ−ＤＣを使用するときの両方で、統合アクセス・バックホールに対応できるかを考察することである。
最後のＲＡＮ２ミーティングにおいて、以下の合意が成された。
2021514122.tif 000007
【０１５３】
ＥＮ−ＤＣおよびＳＡ  ＮＲをアクセスリンクで使用する場合、ＥＮ−ＤＣをアクセスリンクで使用するＳＡおよびＮＳＡの両方に、ＲＡＮ２合意が対応してもよい。
【０１５４】
ＥＮ−ＤＣを使用したＩＡＢの配備の一例は、ＩＡＢを使用して一部がバックホールされている新しいマイクロノードを追加することによって高密度化される、マクログリッドＬＴＥネットワークである。この例のシナリオでは、マクロサイトは、ＬＴＥに加えてＮＲにも対応するようにアップグレードされ、マイクロサイトは、図１３に示されるように、ＮＲのみに対応する。
【０１５５】
この場合、ＬＴＥ広域カバレッジおよびＮＲをデータブーストとして利用して、ＥＮ−ＤＣで動作することが可能であってもよい。ＥＮ−ＤＣの解決策によって、理想的でない搬送を使用して、ＬＴＥおよびＮＲを分離することが可能になり、つまり、ＥＮ−ＤＣの解決策が、ＵＥにサーブするＮＲノードが別のＮＲノードを使用して無線でバックホールされる、ＩＡＢのシナリオに対応することが実現可能であってもよい。図１４は、ＮＲを通じて無線でバックホールされているＮＲノードが、ＮＲ  ＳＣＧリンクにサーブするｅｎ−ｇＮＢ−ＤＵの機能を実施する、このシナリオに関する高次論理アーキテクチャを示している。ＮＲノードは、図１４では、ＮＲ  ＩＡＢノードとして示されている。
【０１５６】
本開示は、上述のシナリオに関して以下の提案を提供する。（１）Ｘ２インターフェース機能を含む既存のＥＮ−ＤＣの解決策は、ＩＡＢノードが対応するＥＮ−ＤＣ  ＵＥに適用可能であるべきであり、（２）ＩＡＢ特異的な影響は、アクセスリンク上のＥＮ−ＤＣに対応するＬＴＥ  ｅＮＢにおいて予見されない。
【０１５７】
統合アクセス・バックホールは、スタンドアロンＮＲ配備でも対応していてもよいことが仮定され、この理由から、規格は、スタンドアロンＮＲをアクセスおよびバックホールリンク両方に対して使用して、図１５に示されるようにＮＲのみの完全な配備を可能にしている場合も、ＩＡＢに対応してもよいことが仮定される。
【０１５８】
本開示は、上述のシナリオに関して別の提案を提供する。規格は、スタンドアロンＮＲをアクセスおよびバックホールリンク両方に対して使用している場合、ＩＡＢに対応してもよい。
【０１５９】
ＥＮ−ＤＣおよびＳＡをバックホールリンクで使用することに関して、ＩＡＢバックホールリンクはネットワーク内部リンクであることを所与として、レガシーデバイスを含む数百万個のデバイスおよび／またはＵＥと相互作用する必要があるアクセスリンクと比較して、このリンクをいかに実現する必要があるかという点でより柔軟性が高い。この理由から、ＥＮ−ＤＣおよびＳＡ  ＮＲの両方にバックホールリンクにおいても対応できるかが考察されてもよい。このシナリオおよびその高次論理アーキテクチャは、図１３および１４に示されている。
【０１６０】
ＥＮ−ＤＣの対応に関する１つの議論は、パケットコアを含むネットワークの残りの部分がスタンドアロンＮＲに対応していない場合、スタンドアロンＮＲを使用してＩＡＢノードを接続することが実現不可能であろうということであり得る。以下に列挙する、バックホールリンクに関するいくつかの所見がある。
【０１６１】
所見１：ＩＡＢバックホールリンク上のＥＮ−ＤＣに対応することは、スタンドアロンＮＲに対応していないネットワークにおいて有用であろう。他方で、バックホールリンクでは、両方のノードがネットワークノードなので、スタンドアロンＮＲに対応するようにノードをアップグレードすることは、少なくともより簡単である。スタンドアロンＮＲがバックホールリンクに関して十分であるかも知れない理由についての他の議論は、ＩＡＢノードが良好なＮＲカバレッジを有するサイトで配備されてもよく、無線カバレッジの観点からＬＴＥを要しないであろうことが予期される点である。
【０１６２】
所見２：ＩＡＢノードは、ＮＲカバレッジが良好なサイトで配備されることが予期され、つまり、バックホールリンク上のＥＮ−ＤＣは、無線カバレッジの観点から見て不要である。バックホールリンク上のＥＮ−ＤＣおよびＳＡ両方に対応することに関する別の潜在的な課題は、これには、標準化の観点から、２つの異なるＣＮの解決策、ならびにＩＡＢノードにコネクティビティの機能性を提供する２つの異なるＮＡＳプロトコルを要することである。また、異なる機能上の分割およびＣＰ／ＵＰの分離がＥＰＣおよび５ＧＣに適用されるので、２つのＣＮの間で解決策が異なって見えることがある。
【０１６３】
所見３：バックホールリンク上のＥＮ−ＤＣおよびＳＡに対応することは、標準化の観点から、２つの異なるＣＮの解決策、およびＩＡＢノードに対するコネクティビティの機能性を提供するＮＡＳプロトコルへの対応を要することがある。解決策はまた、ＥＰＣおよび５ＧＣの異なる機能上の分割およびＣＰ／ＵＰ分離によって影響されることがある。バックホールリンクにＥＮ−ＤＣを使用することに関する更なる課題は最も可能性が高いことであり、これはつまり、ＩＡＢノードにサーブするためにＬＴＥ  ＭＮで必要な機能性が、ＵＥにサーブするために必要な機能性とは大きく異なることがあるため、ＩＡＢノードにサーブするＬＴＥ  ｅＮＢで、ＩＡＢに特異的な機能性も必要なことがあることを意味する。正確にどの機能性が必要であるかはまだ今後の課題であるが、少なくとも、ＵＥに適用不能なＣＮ選択、スライシングなどに関連する、何らかの基本的な機能性があり得る。
【０１６４】
所見４：バックホールリンク上のＥＮ−ＤＣに対応することは、ＩＡＢノードにサーブするＬＴＥ  ｅＮＢに影響を与える可能性が最も高い。いずれにせよ、やはりバックホールリンク上のＥＮ−ＤＣおよびＳＡ  ＮＲ両方に対応するという強力な市場の要求がある場合、これは、アクセスリンクの場合と同じように対応することが技術的に可能であると仮定される。ＥＮ−ＤＣの場合、ＩＡＢノードは、最初にＬＴＥに接続し、次に、セカンダリＮＲノードおよびＮＲ  ＳＣＧ無線設定が割り当てられるが、ＮＲ  ＳＡの場合、ＩＡＢノードはＮＲノードに直接接続する。ＩＡＢノードは、ほとんどの場合、エンドユーザに対するトラフィックにサーブするとき、ＲＲＣ接続／ＤＣのままである。また、データのほとんどはＮＲ無線レッグ、即ちＳＣＧベアラ上にあってもよいと仮定され、つまり、ＩＡＢノードが接続されると、ＥＮ−ＤＣおよびＳＡ両方のバックホールリンクに関する解決策は非常に類似したものに見える。
【０１６５】
所見５：ＩＡＢノードが接続状態になると、バックホールリンクに関するＥＮ−ＤＣおよびＳＡ  ＮＲの解決策は非常に類似したものに見え、ＮＲレッグのみがデータ転送に使用されると仮定される。
【０１６６】
２つの異なるＣＮ／ＮＡＳに対する影響を最小限に抑える解決策、およびＩＡＢノードに関する解決策に関して、ＩＡＢバックホールリンク上のＥＮ−ＤＣおよびＳＡ  ＮＲ両方に対応することが必要であると仮定して、２つの解決策の違いを最小限に抑えることが非常に有益であろう。以下はいくつかの方策である。（１）ＮＲスライシング、および専用ＣＮを割り当てるＤｅｃｏｒを利用して、ＩＡＢノードを扱う。ＮＲ／５ＧＣおよびＬＴＥ／ＥＰＣは両方とも、特定のデバイスに関する専用ＣＮを選択するメカニズムを提供する。ＩＡＢノードに関して専用ＣＮを利用することは、エンドユーザにサーブするＣＮに対する影響を回避し、必要最小限の機能性のみに対応するなど、ＩＡＢノードの特別な必要性にサーブするように、ＣＮを調整することが可能になる。また、オペレータが、ＥＮ−ＤＣおよびＳＡ  ＮＲの両方を併せて使用して、ＩＡＢノードにサーブする全てのＣＮ機能をパッケージすることが可能になるであろう。上述のシナリオに関して、スライシングおよび（ｅ）Ｄｅｃｏｒは、ＩＡＢノードのみに対応するように調整された専用ＣＮにおけるＩＡＢノードに対応するように調査されてもよいことが提案される。
【０１６７】
ＩＡＢノードに関する最小限のＣＮの機能性のみに対応する別の方策に関して、ＥＮ−ＤＣとＳＡ  ＮＲとの間の違いを最小限に抑える別の方法は、ＩＡＢノードをセットアップするＣＮ機能の最小限のサブセットのみに対応することである。少なくとも以下の機能が必要であろうことが仮定される。（１）ＩＡＢノードに関する認証およびセッションキーの生成。（２）ＩＡＢノードに対するＩＰアドレスの割当て。（３）ＬＴＥにおけるＳＩＰＴＯに関して考察したように、全てのＲＡＮノードがどのＧＷを使用するかを潜在的に「推奨」してもよい、ＵＰＦ、およびＰ／Ｓ−ＧＷ機能の選択。ならびに（４）セキュリティキー、初期ベアラ、可能なＵＥ無線アクセスの可能性など、ＩＡＢノードに関するＲＡＮコンテキストの作成。モビリティ機能、即ち高度ＱｏＳ機能なども不要なことがある。ＲＡＮが簡単に扱うことができる機能も不要である。
【０１６８】
更に別の方策は、ＩＡＢノードをネットワークに接続することを可能にするため、最小限のＣＮ／ＮＡＳの機能性のみが指定されるものである。
【０１６９】
ＮＲノードへの対応に関する所見およびそれらに対応する提案を概説するため、所見を以下に列挙する。
所見１：ＩＡＢバックホールリンク上のＥＮ−ＤＣに対応することは、スタンドアロンＮＲに対応していないネットワークにおいて有用であろう。
所見２：ＩＡＢノードは、ＮＲカバレッジが良好なサイトで配備されることが予期され、つまり、バックホールリンク上のＥＮ−ＤＣは、無線カバレッジの観点から見て不要である。
所見３：バックホールリンク上のＥＮ−ＤＣおよびＳＡに対応することは、標準化の観点から、２つの異なるＣＮの解決策、およびＩＡＢノードにコネクティビティの機能性を提供するＮＡＳプロトコルへの対応を要することがある。解決策はまた、ＥＰＣおよび５ＧＣの異なる機能上の分割およびＣＰ／ＵＰ分離によって影響されることがある。
所見４：バックホールリンク上のＥＮ−ＤＣに対応することは、ＩＡＢノードにサーブする、マスタノードであるＬＴＥ  ｅＮＢに影響を与える可能性が最も高い。
所見５：ＩＡＢノードが接続状態になると、バックホールリンクに関するＥＮ−ＤＣおよびＳＡ  ＮＲの解決策は非常に類似したものに見え、ＮＲレッグのみがデータ転送に使用されると仮定される。
【０１７０】
上述の考察に基づいて、以下のように提案される。
提案１：Ｘ２インターフェース機能を含む既存のＥＮ−ＤＣの解決策は、ＥＮ−ＤＣ  ＵＥに対応したＩＡＢノードに適用可能であってもよい。
提案２：アクセスリンク上でＥＮ−ＤＣに対応したＬＴＥ  ｅＮＢに対して、ＩＡＢ特異的な影響は予見されない。
提案３：規格は、スタンドアロンＮＲをアクセスおよびバックホールリンク両方に対して使用する場合、ＩＡＢに対応してもよい。
提案４：スライシングおよび（ｅ）Ｄｅｃｏｒは、ＩＡＢノードのみに対応するように調整された専用ＣＮにおけるＩＡＢノードに対応するように調査されてもよい。
提案５：最小限のＣＮ／ＮＡＳの機能性のみが、ＩＡＢノードがネットワークに接続することを可能にするために指定されるべきである。
【０１７１】
以下の略語の少なくとも一部が本開示で使用されることがある。略語の間に不一致がある場合、上記でどのように使用されているかを優先するものとする。以下で複数回列挙されている場合、最初の列挙をその後の列挙よりも優先するものとする。
１ｘ  ＲＴＴ  ＣＤＭＡ２０００  １ｘ無線送信技術
３ＧＰＰ  第３世代パートナーシッププロジェクト
５Ｇ  第５世代
ＡＢＳ  オールモストブランクサブフレーム
ＡＲＱ  自動再送要求
ＡＷＧＮ  加算性白色ガウス雑音
ＢＣＣＨ  ブロードキャスト制御チャネル
ＢＣＨ  ブロードキャストチャネル
ＣＡ  キャリアアグリゲーション
ＣＣ  キャリアコンポーネント
ＣＣＣＨ  ＳＤＵ  共通制御チャネルＳＤＵ
ＣＤＭＡ  符号分割多重化アクセス
ＣＧＩ  セルグローバル識別子
ＣＩＲ  チャネルインパルス応答
ＣＰ  サイクリックプレフィックス
ＣＰＩＣＨ  共通パイロットチャネル
ＣＰＩＣＨ  Ｅｃ／Ｎｏ  ＣＰＩＣＨのチップ当たり受信エネルギーをバンドの電力密度で割ったもの
ＣＱＩ  チャネル品質情報
Ｃ−ＲＮＴＩ  セルＲＮＴＩ
ＣＳＩ  チャネル状態情報
ＤＣＣＨ  専用制御チャネル
ＤＬ  ダウンリンク
ＤＭ  復調
ＤＭＲＳ  復調用参照信号
ＤＲＸ  間欠受信
ＤＴＸ  間欠送信
ＤＴＣＨ  専用トラフィックチャネル
ＤＵＴ  被試験デバイス
Ｅ−ＣＩＤ  拡張セルＩＤ（測位方法）
Ｅ−ＳＭＬＣ  エボルブドサービングモバイル位置情報センタ
ＥＣＧＩ  エボルブドＣＧＩ
ｅＮＢ  Ｅ−ＵＴＲＡＮノードＢ
ｅＰＤＣＣＨ  拡張物理ダウンリンク制御チャネル
Ｅ−ＳＭＬＣ  エボルブドサービングモバイル位置情報センタ
Ｅ−ＵＴＲＡ  エボルブドＵＴＲＡ
Ｅ−ＵＴＲＡＮ  エボルブドＵＴＲＡＮ
ＦＤＤ  周波数分割複信
ＦＦＳ  追試験
ＧＥＲＡN  ＧＳＭ  ＥＤＧＥ無線アクセスネットワーク
ｇＮＢ  ＮＲの基地局
ＧＮＳＳ  全地球航法衛星システム
ＧＳＭ  モバイル通信用グローバルシステム
ＨＡＲＱ  ハイブリッド自動再送要求
ＨＯ  ハンドオーバー
ＨＳＰＡ  高速パケットアクセス
ＨＲＰＤ  高速パケットデータ
ＬＯＳ  見通し線
ＬＰＰ  ＬＴＥ測位プロトコル
ＬＴＥ  ロングタームエボリューション
ＭＡＣ  媒体アクセス制御
ＭＢＭＳ  マルチメディアブロードキャストマルチキャストサービス
ＭＢＳＦＮ  マルチメディアブロードキャストマルチキャストサービス単一周波数ネットワーク
ＭＢＳＦＮ  ＡＢＳ  ＭＢＳＦＮオールモストブランクサブフレーム
ＭＤＴ  ドライブ試験の最小化
ＭＩＢ  マスタ情報ブロック
ＭＭＥ  モビリティ管理エンティティ
ＭＳＣ  移動交換局
ＮＰＤＣＣＨ  狭帯域物理ダウンリンク制御チャネル
ＮＲ  新無線
ＯＣＮＧ  ＯＦＤＭＡチャネル雑音発生器
ＯＦＤＭ  直交周波数分割多重
ＯＦＤＭＡ  直交周波数分割多元接続
ＯＳＳ  動作サポートシステム
ＯＴＤＯＡ  観察される到着時間差
Ｏ＆Ｍ  動作およびメンテナンス
ＰＢＣＨ  物理ブロードキャストチャネル
Ｐ−ＣＣＰＣＨ  プライマリ共通制御物理チャネル
ＰＣｅｌｌ  プライマリセル
ＰＣＦＩＣＨ  物理制御フォーマットインジケータチャネル
ＰＤＣＣＨ  物理ダウンリンク制御チャネル
ＰＤＰ  プロファイル遅延プロファイル
ＰＤＳＣＨ  物理ダウンリンク共有チャネル
ＰＧＷ  パケットゲートウェイ
ＰＨＩＣＨ  物理ハイブリッドＡＲＱインジケータチャネル
ＰＬＭＮ  公衆携帯電話網
ＰＭＩ  プリコーダマトリクスインジケータ
ＰＲＡＣＨ  物理ランダムアクセスチャネル
ＰＲＳ  測位参照信号
ＰＳＳ  プライマリ同期信号
ＰＵＣＣＨ  物理アップリンク制御チャネル
ＰＵＳＣＨ  物理アップリンク共有チャネル
ＲＡＣＨ  ランダムアクセスチャネル
ＱＡＭ  直角位相振幅変調
ＲＡＮ  無線アクセスネットワーク
ＲＡＴ  無線アクセス技術
ＲＬＭ  無線リンク管理
ＲＮＣ  無線ネットワークコントローラ
ＲＮＴＩ  無線ネットワーク仮識別子
ＲＲＣ  無線リソース制御
ＲＲＭ  無線リソース管理
ＲＳ  参照信号
ＲＳＣＰ  受信信号コード電力
ＲＳＲＰ  参照記号受信電力または参照信号受信電力
ＲＳＲＱ  参照信号受信品質または参照記号受信品質
ＲＳＳＩ  受信信号強度インジケータ
ＲＳＴＤ  参照信号時間差
ＳＣＨ  同期チャネル
ＳＣｅｌｌ  セカンダリセル
ＳＤＵ  サービスデータユニット
ＳＦＮ  システムフレーム番号
ＳＧＷ  サービングゲートウェイ
ＳＩ  システム情報
ＳＩＢ  システム情報ブロック
ＳＮＲ  信号雑音比
ＳＯＮ  自己最適化ネットワーク
ＳＳ  同期信号
ＳＳＳ  セカンダリ同期信号
ＴＤＤ  時分割複信
ＴＤＯＡ  到達時間差
ＴＯＡ  到達時間
ＴＳＳ  ターシャリ同期信号
ＴＴＩ  送信時間間隔
ＵＥ  ユーザ機器
ＵＬ  アップリンク
ＵＭＴＳ  ユニバーサル移動体通信システム
ＵＳＩＭ  ユニバーサル加入者識別モジュール
ＵＴＤＯＡ  アップリンク到達時間差
ＵＴＲＡ  ユニバーサル地上無線アクセス
ＵＴＲＡＮ  ユニバーサル地上無線アクセスネットワーク
ＷＣＤＭＡ  広帯域ＣＤＭＡ
ＷＬＡＮ  ワイドローカルエリアネットワーク
【図１】
2021514122.tif 000008
【図２】
2021514122.tif 000009
【図３】
2021514122.tif 000010
【図４】
2021514122.tif 000011
【図５】
2021514122.tif 000012
【図６】
2021514122.tif 000013
【図７】
2021514122.tif 000014
【図８】
2021514122.tif 000015
【図９】
2021514122.tif 000016
【図１０】
2021514122.tif 000017
【図１１】
2021514122.tif 000018
【図１２】
2021514122.tif 000019
【図１３】
2021514122.tif 000020
【図１４】
2021514122.tif 000021
【図１５】
2021514122.tif 000022
【図１６】
2021514122.tif 000023
【図１７】
2021514122.tif 000024
【図１８】
2021514122.tif 000025
【図１９】
2021514122.tif 000026
【図２０】
2021514122.tif 000027
【図２１】
2021514122.tif 000028
【図２２】
2021514122.tif 000029
【図２３】
2021514122.tif 000030
【図２４】
2021514122.tif 000031
【図２５】
2021514122.tif 000032
【図２６】
2021514122.tif 000033
【図２７】
2021514122.tif 000034
【国際調査報告】
2021514122.tif 000035
2021514122.tif 000036
2021514122.tif 000037